(57)【特許請求の範囲】
【請求項１】
ＷＬＡＮ（ｗｉｒｅｌｅｓｓ  ｌｏｃａｌ  ａｒｅａ  ｎｅｔｗｏｒｋ）におけるパワーセーブモードに基づいた動作方法であって、前記動作方法は、
ビーコンフレームの送信周期に基づいてアウェイク状態に切り替えられたＳＴＡ（ｓｔａｔｉｏｎ）により、ＡＰ（ａｃｃｅｓｓ  ｐｏｉｎｔ）にＰＳ（ｐｏｗｅｒ  ｓａｖｉｎｇ）−ｐｏｌｌフレームを送信することと、
前記ＳＴＡにより、前記ＰＳ−ｐｏｌｌフレームに対する応答として前記ＡＰからＡＣＫ（ａｃｋｎｏｗｌｅｄｇｅｍｅｎｔ）フレームを受信することと、
前記ＳＴＡにより、前記ＡＣＫフレームを受信した後に他のＢＳＳ（ｂａｓｉｃ  ｓｅｒｖｉｃｅ  ｓｅｔ）フレームをオーバーヒアすることであって、前記他のＢＳＳフレームは、前記ＡＰのＢＳＳを除外した他のＢＳＳの他のＡＰによって送信される、ことと、
前記ＳＴＡにより、前記ＡＰからパワー管理制御フレームを受信することであって、前記パワー管理制御フレームは、前記ＳＴＡが前記アウェイク状態を維持することを指示する情報を含み、前記パワー管理制御フレームは、前記他のＢＳＳフレームの受信強度があらかじめ設定された閾値レベルより小さいときにのみ受信される、ことと
を含む、動作方法。
【請求項２】
前記ＳＴＡは、前記ＳＴＡがあらかじめ設定された時間以内に前記パワー管理制御フレームを受信する場合に、前記アウェイク状態を維持し、
前記ＳＴＡは、前記ＳＴＡが前記あらかじめ設定された時間以内に前記パワー管理制御フレームを受信しない場合に、前記アウェイク状態からドーズ状態に切り替え、
前記ドーズ状態が維持される時間は、前記他のＢＳＳフレームのためのＴＸＯＰ（ｔｒａｎｓｍｉｓｓｉｏｎ  ｏｐｐｏｒｔｕｎｉｔｙ）デュレーション情報に基づいて決定される、請求項１に記載の動作方法。
【請求項３】
前記パワー管理制御フレームは、前記他のＢＳＳフレームの前記受信強度が前記あらかじめ設定された閾値レベル以上である場合に、受信されない、請求項１に記載の動作方法。
【請求項４】
ＷＬＡＮ（ｗｉｒｅｌｅｓｓ  ｌｏｃａｌ  ａｒｅａ  ｎｅｔｗｏｒｋ）におけるパワーセーブモードに基づいて動作するＳＴＡ（ｓｔａｔｉｏｎ）であって、前記ＳＴＡは、
無線信号を送信または受信するように具現されたＲＦ（ｒａｄｉｏ  ｆｒｅｑｕｅｎｃｙ）部と、
前記ＲＦ部と動作可能に連結されるプロセッサと
を含み、
前記プロセッサは、
ビーコンフレームの送信周期に基づいてアウェイク状態に切り替えることを決定し、ＡＰ（ａｃｃｅｓｓ  ｐｏｉｎｔ）にＰＳ（ｐｏｗｅｒ  ｓａｖｉｎｇ）−ｐｏｌｌフレームを送信することと、
前記ＰＳ−ｐｏｌｌフレームに対する応答として前記ＡＰからＡＣＫ（ａｃｋｎｏｗｌｅｄｇｅｍｅｎｔ）フレームを受信することと、
前記ＡＣＫフレームを受信した後に他のＢＳＳ（ｂａｓｉｃ  ｓｅｒｖｉｃｅ  ｓｅｔ）フレームをオーバーヒアすることであって、前記他のＢＳＳフレームは、前記ＡＰのＢＳＳを除外した他のＢＳＳの他のＡＰによって送信される、ことと、
前記ＡＰからパワー管理制御フレームを受信することであって、前記パワー管理制御フレームは、前記ＳＴＡが前記アウェイク状態を維持することを指示する情報を含み、前記パワー管理制御フレームは、前記他のＢＳＳフレームの受信強度があらかじめ設定された閾値レベルより小さいときにのみ受信される、ことと
を実行するように具現される、ＳＴＡ。
【請求項５】
前記プロセッサは、
前記プロセッサがあらかじめ設定された時間以内に前記パワー管理制御フレームを受信する場合に、前記アウェイク状態を維持することと、
前記プロセッサが前記あらかじめ設定された時間以内に前記パワー管理制御フレームを受信しない場合に、前記アウェイク状態からドーズ状態に切り替えることと
を実行するように具現され、
前記ドーズ状態が維持される時間は、前記他のＢＳＳフレームのためのＴＸＯＰ（ｔｒａｎｓｍｉｓｓｉｏｎ  ｏｐｐｏｒｔｕｎｉｔｙ）デュレーション情報に基づいて決定される、請求項４に記載のＳＴＡ。
【請求項６】
前記パワー管理制御フレームは、前記他のＢＳＳフレームの前記受信強度が前記あらかじめ設定された閾値レベル以上である場合に、受信されない、請求項４に記載のＳＴＡ。
【発明の詳細な説明】
【技術分野】
【０００１】
本発明は、無線通信に関し、より詳しくは、無線ＬＡＮ（ｗｉｒｅｌｅｓｓ  ｌｏｃａｌ  ａｒｅａ  ｎｅｔｗｏｒｋ、ＷＬＡＮ）におけるパワーセーブモードに基づいて動作する方法及び装置に関する。
【背景技術】
【０００２】
ＩＥＥＥ８０２．１１標準では、無線ＬＡＮ  ＳＴＡ（ｓｔａｔｉｏｎ）の寿命を増加させるためにパワー節約メカニズム（ｐｏｗｅｒ  ｓａｖｅ  ｍｅｃｈａｎｉｓｍ）（または、パワー節約モード（ｐｏｗｅｒ  ｓａｖｅ  ｍｏｄｅ））が使われることができる。パワー節約モードに基づいて動作するＳＴＡは、パワー節約のためにアウェイク状態（ａｗａｋｅ  ｓｔａｔｅ）またはドーズ状態（ｄｏｚｅ  ｓｔａｔｅ）で動作できる。アウェイク状態は、フレームの送信または受信や、チャネルスキャニングのようなＳＴＡの正常動作が可能な状態である。それに対し、ドーズ状態は、電力消耗を極端に減らしてフレームの送信または受信が不可能であり、チャネルスキャニングも不可能な状態である。一般的に、ＳＴＡがパワー節約モードで動作する場合、ドーズ状態のＳＴＡは、必要な場合、アウェイク状態に切り替えてＳＴＡの電力消耗を減らすことができる。
【０００３】
ＳＴＡがドーズ状態で長い間動作する場合、ＳＴＡの電力消耗が減る。したがって、ＳＴＡの寿命が増えることができる。しかし、ドーズ状態では、フレームの送信または受信が不可能である。したがって、ＳＴＡは、ドーズ状態に長くとどまることができない。ドーズ状態でペンディングフレームが発生した場合、ＳＴＡは、アウェイク状態に切り替えてフレームをＡＰに送信することができる。しかし、ＳＴＡがドーズ状態にあり、ＳＴＡに送信するペンディングフレームがＡＰに存在する場合、ＳＴＡは、ＡＰからペンディングフレームを受信することができず、ＡＰにペンディングフレームが存在するということも知ることができない。したがって、ＳＴＡは、ＡＰにペンディングフレームの存在可否に対する情報を取得し、ＡＰにペンディングとなっているフレームを受信するために周期的にアウェイク状態に切り替えて動作できる。
【０００４】
ＡＰは、ＳＴＡのアウェイク状態動作タイミングに対する情報を取得し、ＳＴＡのアウェイク状態動作タイミングに合わせてＡＰにペンディングとなっているフレームの存在可否に対する情報を送信することができる。
【０００５】
具体的に、ドーズ状態のＳＴＡは、ＡＰから受信するフレームの存在可否に対する情報を受信するために、周期的にドーズ状態からアウェイク状態に切り替えてビーコンフレームを受信することができる。ＡＰは、ビーコンフレームに含まれているＴＩＭ（ｔｒａｆｆｉｃ  ｉｎｄｉｃａｔｉｏｎ  ｍａｐ）に基づいて各ＳＴＡに送信するフレームの存在可否に対して知らせることができる。ＴＩＭは、ＳＴＡに送信されるユニキャストフレームの存在を知らせるために使われ、ＤＴＩＭ（ｄｅｌｉｖｅｒｙ  ｔｒａｆｆｉｃ  ｉｎｄｉｃａｔｉｏｎ  ｍａｐ）は、ＳＴＡに送信されるマルチキャストフレーム／ブロードキャストフレームの存在を知らせるために使われることができる。
【発明の概要】
【発明が解決しようとする課題】
【０００６】
本発明の目的は、無線ＬＡＮにおけるパワーセーブモード動作のための方法を提供することにある。
【０００７】
本発明の他の目的は、無線ＬＡＮにおけるパワーセーブモード動作のための装置を提供することにある。
【課題を解決するための手段】
【０００８】
前述した本発明の目的を達成するための本発明の一側面による、無線ＬＡＮにおけるパワーセーブモードベースの動作方法は、ビーコンフレーム（ｂｅａｃｏｎ  ｆｒａｍｅ）の送信周期に基づいてアウェイク状態に切り替えられたＳＴＡ（ｓｔａｔｉｏｎ）がＡＰ（ａｃｃｅｓｓ  ｐｏｉｎｔ）にＰＳ（ｐｏｗｅｒ  ｓａｖｅ）−ｐｏｌｌフレームを送信するステップ、前記ＳＴＡが前記ＰＳ−ｐｏｌｌフレームに対する応答として前記ＡＰからＡＣＫ（ａｃｋｎｏｗｌｅｄｇｅｍｅｎｔ）フレームを受信するステップ、前記ＳＴＡが前記ＡＣＫフレームの受信以後、他のＢＳＳ（ｂａｓｉｃ  ｓｅｒｖｉｃｅ  ｓｅｔ）フレームをオーバーヒアするステップ、及び前記ＳＴＡが前記他のＢＳＳフレームをオーバーヒア（ｏｖｅｒｈｅａｒ）し、あらかじめ設定された時間以内に前記ＡＰからのパワー管理制御フレーム（ｐｏｗｅｒ  ｍａｎａｇｅｍｅｎｔ  ｃｏｎｔｒｏｌ  ｆｒａｍｅ）の送信可否に基づいて前記アウェイク状態の維持可否を決定するステップを含み、前記ＡＣＫフレームは、前記パワー管理制御フレームの送信を指示する情報を含み、前記他のＢＳＳフレームは、前記ＡＰ及び前記ＳＴＡを含むＢＳＳを除外した他のＢＳＳから送信されたフレームであり、前記パワー管理制御フレームは、前記ＳＴＡの前記アウェイク状態の維持可否を指示する情報を含む。
【０００９】
前述した本発明の目的を達成するための本発明の他の側面による、無線ＬＡＮにおけるパワーセーブモードに基づいて動作するＳＴＡ（ｓｔａｔｉｏｎ）は、無線信号を送信または受信するために具現されたＲＦ（ｒａｄｉｏ  ｆｒｅｑｕｅｎｃｙ）部及び前記ＲＦ部と動作可能に（ｏｐｅｒａｔｉｖｅｌｙ）連結されるプロセッサを含み、前記プロセッサは、ビーコンフレーム（ｂｅａｃｏｎ  ｆｒａｍｅ）の送信周期に基づいてアウェイク状態に切り替えを決定し、ＡＰ（ａｃｃｅｓｓ  ｐｏｉｎｔ）にＰＳ（ｐｏｗｅｒ  ｓａｖｅ）−ｐｏｌｌフレームを送信し、前記ＰＳ−ｐｏｌｌフレームに対する応答として前記ＡＰからＡＣＫ（ａｃｋｎｏｗｌｅｄｇｅｍｅｎｔ）フレームを受信し、前記ＡＣＫフレームの受信以後、他のＢＳＳ（ｂａｓｉｃ  ｓｅｒｖｉｃｅ  ｓｅｔ）フレームをオーバーヒアし、前記他のＢＳＳフレームをオーバーヒアし、あらかじめ設定された時間以内に前記ＡＰからのパワー管理制御フレームの送信可否に基づいて前記アウェイク状態の維持可否を決定するように具現され、前記ＡＣＫフレームは、前記パワー管理制御フレームの送信を指示する情報を含み、前記他のＢＳＳフレームは、前記ＡＰ及び前記ＳＴＡを含むＢＳＳを除外した他のＢＳＳから送信されたフレームであり、前記パワー管理制御フレームは、前記ＳＴＡの前記アウェイク状態の維持可否を指示する情報を含む。
本明細書は、例えば、以下の項目も提供する。
（項目１）
無線ＬＡＮにおけるパワーセーブモードベースの動作方法は、
ビーコンフレーム（ｂｅａｃｏｎ  ｆｒａｍｅ）の送信周期に基づいてアウェイク状態に切り替えられたＳＴＡ（ｓｔａｔｉｏｎ）がＡＰ（ａｃｃｅｓｓ  ｐｏｉｎｔ）にＰＳ（ｐｏｗｅｒ  ｓａｖｅ）−ｐｏｌｌフレームを送信するステップ；
前記ＳＴＡが前記ＰＳ−ｐｏｌｌフレームに対する応答として前記ＡＰからＡＣＫ（ａｃｋｎｏｗｌｅｄｇｅｍｅｎｔ）フレームを受信するステップ；
前記ＳＴＡが前記ＡＣＫフレームの受信以後、他のＢＳＳ（ｂａｓｉｃ  ｓｅｒｖｉｃｅ  ｓｅｔ）フレームをオーバーヒアするステップ；及び、
前記ＳＴＡが前記他のＢＳＳフレームをオーバーヒア（ｏｖｅｒｈｅａｒ）し、あらかじめ設定された時間以内に前記ＡＰからのパワー管理制御フレーム（ｐｏｗｅｒ  ｍａｎａｇｅｍｅｎｔ  ｃｏｎｔｒｏｌ  ｆｒａｍｅ）の送信可否に基づいて前記アウェイク状態の維持可否を決定するステップ；を含み、
前記ＡＣＫフレームは、前記パワー管理制御フレームの送信を指示する情報を含み、
前記他のＢＳＳフレームは、前記ＡＰ及び前記ＳＴＡを含むＢＳＳを除外した他のＢＳＳから送信されたフレームであり、
前記パワー管理制御フレームは、前記ＳＴＡの前記アウェイク状態の維持可否を指示する情報を含む方法。
（項目２）
前記ＳＴＡは、前記あらかじめ設定された時間以内に前記パワー管理制御フレームを受信する場合、前記アウェイク状態を維持し、
前記ＳＴＡは、前記あらかじめ設定された時間以内に前記パワー管理制御フレームを受信することができない場合、前記アウェイク状態からドーズ状態に切り替えられ、
前記ドーズ状態の維持時間は、前記他のＢＳＳフレームのためのＴＸＯＰ（ｔｒａｎｓｍｉｓｓｉｏｎ  ｏｐｐｏｒｔｕｎｉｔｙ）デュレーション情報に基づいて決定されることを特徴とする項目１に記載の方法。
（項目３）
前記パワー管理制御フレームは、前記ＡＰにより受信された前記他のＢＳＳフレームの受信強度がパワー管理ＣＣＡセンシングレベル（ｐｏｗｅｒ  ｍａｎａｇｅｍｅｎｔ  ｃｌｅａｒ  ｃｈａｎｎｅｌ  ａｓｓｅｓｓｍｅｎｔ  ｓｅｎｓｉｔｉｖｉｔｙ  ｌｅｖｅｌ）より小さい場合、前記他のＢＳＳフレームとあらかじめ決められたフレームとの間の間隔に基づいて送信され、
前記パワー管理制御フレームは、前記ＡＰにより受信された前記他のＢＳＳフレームの前記受信強度が前記パワー管理ＣＣＡセンシングレベルより大きいまたは同じ場合、送信されないことを特徴とする項目１に記載の方法。
（項目４）
前記パワー管理制御フレームの送信を指示する情報は、前記他のＢＳＳフレームに基づく前記ＳＴＡのチャネル状態判断に対する予測が前記ＡＰにより可能な場合、前記ＡＣＫフレームに含まれることを特徴とする項目１に記載の方法。
（項目５）
前記チャネル状態判断の予測は、前記ＳＴＡにより前記ＡＰに送信されるフレームの送信強度と前記フレームの受信強度に基づいて決定されることを特徴とする項目４に記載の方法。
（項目６）
無線ＬＡＮにおけるパワーセーブモードに基づいて動作するＳＴＡ（ｓｔａｔｉｏｎ）は、
無線信号を送信または受信するために具現されたＲＦ（ｒａｄｉｏ  ｆｒｅｑｕｅｎｃｙ）部；及び、
前記ＲＦ部と動作可能に（ｏｐｅｒａｔｉｖｅｌｙ）連結されるプロセッサ；を含み、
前記プロセッサは、ビーコンフレーム（ｂｅａｃｏｎ  ｆｒａｍｅ）の送信周期に基づいてアウェイク状態に切り替えを決定し、ＡＰ（ａｃｃｅｓｓ  ｐｏｉｎｔ）にＰＳ（ｐｏｗｅｒ  ｓａｖｅ）−ｐｏｌｌフレームを送信し、
前記ＰＳ−ｐｏｌｌフレームに対する応答として前記ＡＰからＡＣＫ（ａｃｋｎｏｗｌｅｄｇｅｍｅｎｔ）フレームを受信し、
前記ＡＣＫフレームの受信以後、他のＢＳＳ（ｂａｓｉｃ  ｓｅｒｖｉｃｅ  ｓｅｔ）フレームをオーバーヒアし、
前記他のＢＳＳフレームのオーバーヒア以後、あらかじめ設定された時間以内に前記ＡＰからのパワー管理制御フレームの送信可否に基づいて前記アウェイク状態の維持可否を決定するように具現され、
前記ＡＣＫフレームは、前記パワー管理制御フレームの送信を指示する情報を含み、
前記他のＢＳＳフレームは、前記ＡＰ及び前記ＳＴＡを含むＢＳＳを除外した他のＢＳＳから送信されたフレームであり、
前記パワー管理制御フレームは、前記ＳＴＡの前記アウェイク状態の維持可否を指示する情報を含むＳＴＡ。
（項目７）
前記プロセッサは、前記あらかじめ設定された時間以内に前記パワー管理制御フレームが受信される場合、前記アウェイク状態の維持を決定し、
前記あらかじめ設定された時間以内に前記パワー管理制御フレームが受信されない場合、前記ＳＴＡを前記アウェイク状態からドーズ状態への切り替えを決定するように具現され、
前記ドーズ状態の維持時間は、前記他のＢＳＳフレームのためのＴＸＯＰ（ｔｒａｎｓｍｉｓｓｉｏｎ  ｏｐｐｏｒｔｕｎｉｔｙ）デュレーション情報に基づいて決定されることを特徴とする項目６に記載のＳＴＡ。
（項目８）
前記パワー管理制御フレームは、前記ＡＰにより受信された前記他のＢＳＳフレームの受信強度がパワー管理ＣＣＡセンシングレベル（ｐｏｗｅｒ  ｍａｎａｇｅｍｅｎｔ  ｃｌｅａｒ  ｃｈａｎｎｅｌ  ａｓｓｅｓｓｍｅｎｔ  ｓｅｎｓｉｔｉｖｉｔｙ  ｌｅｖｅｌ）より小さい場合、前記他のＢＳＳフレームとあらかじめ決められたフレームとの間の間隔に基づいて送信され、
前記パワー管理制御フレームは、前記ＡＰにより受信された前記他のＢＳＳフレームの前記受信強度が前記パワー管理ＣＣＡセンシングレベルより大きいまたは同じ場合、送信されないことを特徴とする項目６に記載のＳＴＡ。
（項目９）
前記パワー管理制御フレームの送信を指示する情報は、前記他のＢＳＳフレームに基づく前記ＳＴＡのチャネル状態判断に対する予測が前記ＡＰにより可能な場合、前記ＡＣＫフレームに含まれることを特徴とする項目６に記載のＳＴＡ。
（項目１０）
前記チャネル状態判断の予測は、前記ＳＴＡにより前記ＡＰに送信されるフレームの送信強度と前記フレームの受信強度に基づいて決定されることを特徴とする項目９に記載のＳＴＡ。
【発明の効果】
【００１０】
ＴＩＭ（ｔｒａｆｆｉｃ  ｉｎｄｉｃａｔｉｏｎ  ｍａｐ）ベースのパワーセーブモードで動作するＳＴＡが他のＢＳＳにより送信されたフレームの送信強度に基づいてドーズ状態に切り替えられることができる。したがって、ＳＴＡの電力が節約されてバッテリにより動作するＳＴＡの動作時間を増加させることができる。
【図面の簡単な説明】
【００１１】
【図１】無線ＬＡＮ（ｗｉｒｅｌｅｓｓ  ｌｏｃａｌ  ａｒｅａ  ｎｅｔｗｏｒｋ、ＷＬＡＮ）の構造を示した概念図である。
【００１２】
【図２】無線ＬＡＮにおけるスキャニング方法を示した概念図である。
【００１３】
【図３】ＡＰとＳＴＡのスキャニング手順以後に実行される認証手順及び結合手順を示した概念図である。
【００１４】
【図４】ビーコンフレームベースのパワーセーブ方法を示した概念図である。
【００１５】
【図５】ビーコンフレームベースのパワーセーブ方法を示した概念図である。
【００１６】
【図６】ＴＩＭベースのパワーセーブモード動作を実行するＳＴＡの動作状態を示した概念図である。
【００１７】
【図７】本発明の実施例に係るＳＴＡとＡＰの相互間のチャネル状態予測のためのトポロジである。
【００１８】
【図８】本発明の実施例に係るＡＰのＴＩＭベースのパワーセーブモードで動作するＳＴＡの動作状態の設定方法を示した概念図である。
【００１９】
【図９】本発明の実施例に係るＡＰのＴＩＭベースのパワーセーブモードで動作するＳＴＡの動作状態の設定方法を示した概念図である。
【００２０】
【図１０】本発明の実施例に係るＡＰのＴＩＭベースのパワーセーブモードで動作するＳＴＡの動作状態の制御方法を示した概念図である。
【００２１】
【図１１】本発明の実施例に係るＡＣＫフレームを示した概念図である。
【００２２】
【図１２】本発明の実施例に係るＡＣＫフレームを示した概念図である。
【００２３】
【図１３】本発明の実施例に係るパワー管理制御フレームを示した概念図である。
【００２４】
【図１４】本発明の実施例に係るフレームを伝達するＰＰＤＵフォーマットを示した概念図である。
【００２５】
【図１５】本発明の実施例が適用されることができる無線装置を示すブロック図である。
【発明を実施するための形態】
【００２６】
図１は、無線ＬＡＮ（ｗｉｒｅｌｅｓｓ  ｌｏｃａｌ  ａｒｅａ  ｎｅｔｗｏｒｋ、ＷＬＡＮ）の構造を示す概念図である。
【００２７】
図１の上段は、ＩＥＥＥ（ｉｎｓｔｉｔｕｔｅ  ｏｆ  ｅｌｅｃｔｒｉｃａｌ  ａｎｄ  ｅｌｅｃｔｒｏｎｉｃ  ｅｎｇｉｎｅｅｒｓ）８０２．１１のインフラストラクチャネットワーク（ｉｎｆｒａｓｔｒｕｃｔｕｒｅ  ｎｅｔｗｏｒｋ）の構造を示す。
【００２８】
図１の上段を参照すると、無線ＬＡＮシステムは、一つまたはそれ以上の基本サービスセット（Ｂａｓｉｃ  Ｓｅｒｖｉｃｅ  Ｓｅｔ、ＢＳＳ）１００、１０５を含むことができる。ＢＳＳ１００、１０５は、成功的に同期化されて互いに通信できるＡＰ（ａｃｃｅｓｓ  ｐｏｉｎｔ）１２５及びＳＴＡ１（Ｓｔａｔｉｏｎ）１００−１のようなＡＰとＳＴＡのセットであり、特定領域を示す概念ではない。ＢＳＳ１０５は、一つのＡＰ１３０に一つ以上の結合可能なＳＴＡ１０５−１、１０５−２を含むこともできる。
【００２９】
インフラストラクチャＢＳＳは、少なくとも一つのＳＴＡ、分散サービス（Ｄｉｓｔｒｉｂｕｔｉｏｎ  Ｓｅｒｖｉｃｅ）を提供するＡＰ１２５、１３０及び複数のＡＰを連結させる分散システム（Ｄｉｓｔｒｉｂｕｔｉｏｎ  Ｓｙｓｔｅｍ、ＤＳ）１１０を含むことができる。
【００３０】
分散システム１１０は、複数のＢＳＳ１００、１０５を連結して拡張されたサービスセットであるＥＳＳ（ｅｘｔｅｎｄｅｄ  ｓｅｒｖｉｃｅ  ｓｅｔ）１４０を具現することができる。ＥＳＳ１４０は、一つまたは複数個のＡＰ１２５、２３０が分散システム１１０を介して連結されて構成された一つのネットワークを指示する用語として使われることができる。一つのＥＳＳ１４０に含まれるＡＰは、同じＳＳＩＤ（ｓｅｒｖｉｃｅ  ｓｅｔ  ｉｄｅｎｔｉｆｉｃａｔｉｏｎ）を有することができる。
【００３１】
ポータル（ｐｏｒｔａｌ）１２０は、無線ＬＡＮネットワーク（ＩＥＥＥ８０２．１１）と他のネットワーク（例えば、８０２．Ｘ）との連結を実行するブリッジ役割を遂行することができる。
【００３２】
図１の上段のようなインフラストラクチャネットワークでは、ＡＰ１２５、１３０間のネットワーク及びＡＰ１２５、１３０とＳＴＡ１００−１、１０５−１、１０５−２との間のネットワークが具現されることができる。しかし、ＡＰ１２５、１３０なしでＳＴＡ間でもネットワークを設定して通信を実行することも可能である。ＡＰ１２５、１３０なしでＳＴＡ間でもネットワークを設定して通信を実行するネットワークをアドホックネットワーク（Ａｄ−Ｈｏｃ  ｎｅｔｗｏｒｋ）または独立ＢＳＳ（ｉｎｄｅｐｅｎｄｅｎｔ  ｂａｓｉｃ  ｓｅｒｖｉｃｅ  ｓｅｔ）と定義する。
【００３３】
図１の下段は、独立ＢＳＳを示す概念図である。
【００３４】
図１の下段を参照すると、独立ＢＳＳ（ｉｎｄｅｐｅｎｄｅｎｔ  ＢＳＳ、ＩＢＳＳ）は、アドホックモードで動作するＢＳＳである。ＩＢＳＳは、ＡＰを含まないため、中央で管理機能を遂行するエンティティ（ｃｅｎｔｒａｌｉｚｅｄ  ｍａｎａｇｅｍｅｎｔ  ｅｎｔｉｔｙ）がない。即ち、ＩＢＳＳにおいて、ＳＴＡ１５０−１、１５０−２、１５０−３、１５５−１、１５５−２は、分散された方式（ｄｉｓｔｒｉｂｕｔｅｄ  ｍａｎｎｅｒ）に管理される。ＩＢＳＳにおいて、全てのＳＴＡ１５０−１、１５０−２、１５０−３、１５５−１、１５５−２は、移動ＳＴＡからなることができ、分散システムへの接続が許容されなくて自己完備的ネットワーク（ｓｅｌｆ−ｃｏｎｔａｉｎｅｄ  ｎｅｔｗｏｒｋ）を構築する。
【００３５】
ＳＴＡは、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１標準の規定に従う媒体接続制御（Ｍｅｄｉｕｍ  Ａｃｃｅｓｓ  Ｃｏｎｔｒｏｌ、ＭＡＣ）と無線媒体に対する物理階層（Ｐｈｙｓｉｃａｌ  Ｌａｙｅｒ）インターフェースを含む任意の機能媒体であり、広義では、ＡＰと非ＡＰ  ＳＴＡ（Ｎｏｎ−ＡＰ  Ｓｔａｔｉｏｎ）を両方とも含む意味として使われることができる。
【００３６】
ＳＴＡは、移動端末（ｍｏｂｉｌｅ  ｔｅｒｍｉｎａｌ）、無線機器（ｗｉｒｅｌｅｓｓ  ｄｅｖｉｃｅ）、無線送受信ユニット（Ｗｉｒｅｌｅｓｓ  Ｔｒａｎｓｍｉｔ／Ｒｅｃｅｉｖｅ  Ｕｎｉｔ；ＷＴＲＵ）、ユーザ装備（Ｕｓｅｒ  Ｅｑｕｉｐｍｅｎｔ；ＵＥ）、移動局（Ｍｏｂｉｌｅ  Ｓｔａｔｉｏｎ；ＭＳ）、モバイル加入者ユニット（Ｍｏｂｉｌｅ  Ｓｕｂｓｃｒｉｂｅｒ  Ｕｎｉｔ）または単純にユーザ（ｕｓｅｒ）などの多様な名称で呼ばれることもある。
【００３７】
以下、本発明の実施例ではＡＰからＳＴＡに送信されるデータ（または、フレーム）をダウンリンクデータ（または、ダウンリンクフレーム）、ＳＴＡからＡＰに送信されるデータ（または、フレーム）をアップリンクデータ（または、アップリンクフレーム）という用語で表現できる。また、ＡＰからＳＴＡへの送信はダウンリンク送信、ＳＴＡからＡＰへの送信はアップリンク送信という用語で表現できる。
【００３８】
図２は、無線ＬＡＮにおけるスキャニング方法を示す概念図である。
【００３９】
図２を参照すると、スキャニング方法は、パッシブスキャニング（ｐａｓｓｉｖｅ  ｓｃａｎｎｉｎｇ）２００とアクティブスキャニング（ａｃｔｉｖｅ  ｓｃａｎｎｉｎｇ）２５０とに区分されることができる。
【００４０】
図２の左側を参照すると、パッシブスキャニング２００は、ＡＰ２１０が周期的にブロードキャストするビーコンフレーム２３０により実行されることができる。無線ＬＡＮにおけるＡＰ２１０は、ビーコンフレーム２３０を特定周期（例えば、１００ｍｓｅｃ）毎にｎｏｎ−ＡＰ  ＳＴＡ２４０にブロードキャストする。ビーコンフレーム２３０には現在のネットワークに対する情報が含まれることができる。ｎｏｎ−ＡＰ  ＳＴＡ２４０は、周期的にブロードキャストされるビーコンフレーム２３０を受信することで、ネットワーク情報を受信して認証／結合（ａｕｔｈｅｎｔｉｃａｔｉｏｎ／ａｓｓｏｃｉａｔｉｏｎ）過程を実行するＡＰ２１０とチャネルに対するスキャニングを実行することができる。
【００４１】
パッシブスキャニング方法２００は、ｎｏｎ−ＡＰ  ＳＴＡ２４０がフレームを送信する必要なしでＡＰ２１０から送信されるビーコンフレーム２３０を受信すればよい。したがって、パッシブスキャニング２００は、ネットワークでデータの送信／受信により発生される全体的なオーバーヘッドが小さいという長所がある。しかし、ビーコンフレーム２３０の周期に比例して受動的にスキャニングを実行せざるを得ないため、スキャニングの実行にかかる時間がアクティブスキャニング方法に比べて相対的に増えるという短所がある。ビーコンフレームに対する具体的な説明は、２０１１年１１月に開示されたＩＥＥＥ  Ｄｒａｆｔ  Ｐ８０２．１１−ＲＥＶｍｂＴＭ／Ｄ１２、Ｎｏｖｅｍｂｅｒ  ２０１１‘ＩＥＥＥ  Ｓｔａｎｄａｒｄ  ｆｏｒ  Ｉｎｆｏｒｍａｔｉｏｎ  Ｔｅｃｈｎｏｌｏｇｙ  Ｔｅｌｅｃｏｍｍｕｎｉｃａｔｉｏｎｓ  ａｎｄ  ｉｎｆｏｒｍａｔｉｏｎ  ｅｘｃｈａｎｇｅ  ｂｅｔｗｅｅｎ  ｓｙｓｔｅｍｓ−Ｌｏｃａｌ  ａｎｄ  ｍｅｔｒｏｐｏｌｉｔａｎ  ａｒｅａ  ｎｅｔｗｏｒｋｓ−Ｓｐｅｃｉｆｉｃ  ｒｅｑｕｉｒｅｍｅｎｔｓ  Ｐａｒｔ  １１：Ｗｉｒｅｌｅｓｓ  ＬＡＮ  Ｍｅｄｉｕｍ  Ａｃｃｅｓｓ  Ｃｏｎｔｒｏｌ（ＭＡＣ）ａｎｄ  Ｐｈｙｓｉｃａｌ  Ｌａｙｅｒ（ＰＨＹ）Ｓｐｅｃｉｆｉｃａｔｉｏｎｓ（以下、ＩＥＥＥ８０２．１１）’の８．３．３．２  ｂｅａｃｏｎ  ｆｒａｍｅに開示されている。ＩＥＥＥ８０２．１１ａｉでは追加的に他のフォーマットのビーコンフレームを使用することもでき、このようなビーコンフレームをＦＩＬＳ（ｆａｓｔ  ｉｎｉｔｉａｌ  ｌｉｎｋ  ｓｅｔｕｐ）ビーコンフレームということができる。また、測定パイロットフレーム（ｍｅａｓｕｒｅｍｅｎｔ  ｐｉｌｏｔ  ｆｒａｍｅ）は、ビーコンフレームの一部情報のみを含むフレームであり、スキャニング手順で使用することができる。測定パイロットフレームは、ＩＥＥＥ８０２．１１  ８．５．８．３  ｍｅａｓｕｒｅｍｅｎｔ  ｐｉｌｏｔ  ｆｏｒｍａｔに開示されている。
【００４２】
また、ＦＩＬＳ探索フレーム（ｆａｓｔ  ｉｎｉｔｉａｌ  ｌｉｎｋ  ｓｅｔｕｐ  ｄｉｓｃｏｖｅｒｙ  ｆｒａｍｅ）が定義されることもできる。ＦＩＬＳ探索フレームは、各ＡＰでビーコンフレームの送信周期で送信されるフレームであり、ビーコンフレームより短い周期で送信されるフレームである。即ち、ＦＩＬＳ探索フレームは、ビーコンフレームの送信周期より小さい値の周期で送信されるフレームである。ＦＩＬＳ探索フレームは、ＦＩＬＳ探索フレームを送信するＡＰの識別子情報（ＳＳＩＤ、ＢＳＳＩＤ）を含むことができる。ＦＩＬＳ探索フレームは、ＳＴＡにビーコンフレームが送信される前に送信されることで、該当チャネルにＡＰが存在することをＳＴＡがあらかじめ探索するようにすることができる。一つのＡＰでＦＩＬＳ探索フレームが送信される間隔をＦＩＬＳ探索フレーム送信間隔という。ＦＩＬＳ探索フレームには、ビーコンフレームに含まれる情報の一部が含まれて送信されることができる。
【００４３】
図２の右側を参照すると、アクティブスキャニング２５０では、ｎｏｎ−ＡＰ  ＳＴＡ２９０がプローブ要求フレーム２７０をＡＰ２６０に送信して主導的にスキャニングを実行することができる。
【００４４】
ＡＰ２６０では、ｎｏｎ−ＡＰ  ＳＴＡ２９０からプローブ要求フレーム２７０を受信した後、フレーム衝突（ｆｒａｍｅ  ｃｏｌｌｉｓｉｏｎ）を防止するためにランダム時間待った後、プローブ応答フレーム２８０にネットワーク情報を含んでｎｏｎ−ＡＰ  ＳＴＡ２９０に送信することができる。ｎｏｎ−ＡＰ  ＳＴＡ２９０は、受信したプローブ応答フレーム２８０に基づいてネットワーク情報を得てスキャニング過程を中止することができる。
【００４５】
アクティブスキャニング２５０の場合、ｎｏｎ−ＡＰ  ＳＴＡ２９０が主導的にスキャニングを実行するため、スキャニングに使われる時間が短いという長所がある。しかし、ｎｏｎ−ＡＰ  ＳＴＡ２９０がプローブ要求フレーム２７０を送信しなければならないため、フレームの送信及び受信のためのネットワークオーバーヘッドが増加するという短所がある。プローブ要求フレーム２７０は、ＩＥＥＥ８０２．１１  ８．３．３．９節に開示されており、プローブ応答フレーム２８０は、ＩＥＥＥ８０２．１１  ８．３．３．１０に開示されている。
【００４６】
スキャニングが終わった後、ＡＰとｎｏｎ−ＡＰ  ＳＴＡは、認証（ａｕｔｈｅｎｔｉｃａｔｉｏｎ）手順と結合（ａｓｓｏｃｉａｔｉｏｎ）手順を実行することができる。
【００４７】
図３は、ＡＰとＳＴＡのスキャニング手順以後に実行される認証手順及び結合手順を示す概念図である。
【００４８】
図３を参照すると、パッシブ／アクティブスキャニングを実行した後、スキャニングされたＡＰのうち一つのＡＰと認証手順及び結合手順を実行することができる。
【００４９】
認証（ａｕｔｈｅｎｔｉｃａｔｉｏｎ）及び結合（ａｓｓｏｃｉａｔｉｏｎ）手順は、例えば、２方向ハンドシェイキング（２−ｗａｙ  ｈａｎｄｓｈａｋｉｎｇ）を介して実行されることができる。図３の左側は、パッシブスキャニング後、認証及び結合手順を示す概念図であり、図３の右側は、アクティブスキャニング後、認証及び結合手順を示す概念図である。
【００５０】
認証手順及び結合手順は、アクティブスキャニング方法を使用したか、またはパッシブスキャニングを使用したかと関係なしで、認証要求フレーム（ａｕｔｈｅｎｔｉｃａｔｉｏｎ  ｒｅｑｕｅｓｔ  ｆｒａｍｅ）３１０／認証応答フレーム（ａｕｔｈｅｎｔｉｃａｔｉｏｎ  ｒｅｓｐｏｎｓｅ  ｆｒａｍｅ）３２０、及び結合要求フレーム（ａｓｓｏｃｉａｔｉｏｎ  ｒｅｑｕｅｓｔ  ｆｒａｍｅ）３３０／結合応答フレーム（ａｓｓｏｃｉａｔｉｏｎ  ｒｅｓｐｏｎｓｅ  ｆｒａｍｅ）３４０をＡＰ３００、３５０とｎｏｎ−ＡＰ  ＳＴＡ３０５、３５５との間で交換することで同じように実行されることができる。
【００５１】
認証手順では、ｎｏｎ−ＡＰ  ＳＴＡ３０５、３５５は、認証要求フレーム３１０をＡＰ３００、３５０に送信することができる。ＡＰ３００、３５０は、認証要求フレーム３１０に対する応答として認証応答フレーム３２０をｎｏｎ−ＡＰ  ＳＴＡ３０５、３５５に送信することができる。認証フレームフォーマット（ａｕｔｈｅｎｔｉｃａｔｉｏｎ  ｆｒａｍｅ  ｆｏｒｍａｔ）に対してはＩＥＥＥ８０２．１１  ８．３．３．１１に開示されている。
【００５２】
結合手順では、ｎｏｎ−ＡＰ  ＳＴＡ３０５、３５５は、結合要求フレーム（ａｓｓｏｃｉａｔｉｏｎ  ｒｅｑｕｅｓｔ  ｆｒａｍｅ）３３０をＡＰ３００、３０５に送信することができる。ＡＰ３０５、３５５は、結合要求フレーム３３０に対する応答として結合応答フレーム３４０をｎｏｎ−ＡＰ  ＳＴＡ３０５、３５５に送信することができる。ＡＰに送信された結合要求フレーム３３０にはｎｏｎ−ＡＰ  ＳＴＡ３０５、３５５の性能（ｃａｐａｂｉｌｉｔｙ）に対する情報が含まれている。ＡＰ３００、３５０は、ｎｏｎ−ＡＰ  ＳＴＡ３０５、３５５の性能情報に基づいて、ｎｏｎ−ＡＰ  ＳＴＡ３０５、３５５に対するサポートが可能かどうかを判断することができる。ｎｏｎ−ＡＰ  ＳＴＡ３０５、３５５に対するサポートが可能な場合、ＡＰ３００、３５０は、結合応答フレーム３４０をｎｏｎ−ＡＰ  ＳＴＡ３０５、３５５に送信することができる。結合応答フレーム３４０は、結合要求フレーム３４０に対する受諾可否とその理由、自分がサポート可能な性能情報（ｃａｐａｂｉｌｉｔｙ  ｉｎｆｏｒｍａｔｉｏｎ）を含むことができる。結合フレームフォーマット（ａｓｓｏｃｉａｔｉｏｎ  ｆｒａｍｅ  ｆｏｒｍａｔ）に対してはＩＥＥＥ８０２．１１  ８．３．３．５／８．３．３．６に開示されている。
【００５３】
ＡＰとｎｏｎ−ＡＰ  ＳＴＡとの間で結合手順が実行された以後、ＡＰとｎｏｎ−ＡＰ  ＳＴＡとの間で正常なデータの送信及び受信が実行されることができる。ＡＰとｎｏｎ−ＡＰ  ＳＴＡとの間の結合手順が失敗した場合、結合が失敗した理由に基づいて再びＡＰと結合手順を実行し、または他のＡＰと結合手順を実行することもできる。
【００５４】
ＳＴＡがＡＰと結合される場合、ＳＴＡは、ＡＰから結合ＩＤ（ａｓｓｏｃｉａｔｉｏｎ  ｉｄｅｎｔｉｆｉｅｒ、ＡＩＤ）の割当を受けることができる。ＳＴＡに割り当てられたＡＩＤは、一つのＢＳＳ内では唯一な値であり、現在ＡＩＤは、１〜２００７のうち一つの値である。ＡＩＤのために１４ｂｉｔが割り当てられて最大１６３８３までＡＩＤの値として使用可能であるが、２００８〜１６３８３の値は、保存（ｒｅｓｅｒｖｅｄ）されている。
【００５５】
ＩＥＥＥ８０２．１１標準では、無線ＬＡＮのＳＴＡの寿命を増加させるためにパワーセーブメカニズム（パワーセーブモード）が提供される。
【００５６】
パワーセーブモードに基づいて動作するＳＴＡは、アウェイク状態（ａｗａｋｅ  ｓｔａｔｅ）とドーズ状態（ｄｏｚｅ  ｓｔａｔｅ）を切り替えて動作しながらＳＴＡの電力消費を減少させることでＳＴＡの動作寿命を増加させることができる。
【００５７】
アウェイク状態のＳＴＡは、フレームの送信または受信、チャネルスキャニングなどのような正常な動作を実行することができる。それに対し、ドーズ状態のＳＴＡは、電力消耗を減らすためにフレームの送信または受信を実行せず、チャネルスキャニングも実行しない。パワーセーブモードで動作するＳＴＡは、電力消耗を減らすためにドーズ状態に維持され、必要な場合、アウェイク状態に切り替え（または、移行（ｔｒａｎｓｉｔｉｏｎ））られてＡＰと通信を実行することができる。
【００５８】
ＳＴＡのドーズ状態の維持時間が増加するほどＳＴＡの電力消耗は減少し、ＳＴＡの寿命も増加できる。しかし、ドーズ状態では、ＳＴＡのフレームの送信または受信が不可能である。ＳＴＡにペンディングアップリンクフレームが存在する場合、ＳＴＡは、ドーズ状態からアクティブ状態に切り替えられてアップリンクフレームをＡＰに送信することができる。それに対し、ＡＰにドーズ状態のＳＴＡに送信するペンディングフレームが存在する場合、ＡＰは、ＳＴＡのアウェイクモードへの切り替え時までＳＴＡにペンディングフレームを送信することができない。
【００５９】
したがって、ＳＴＡは、時々ドーズ状態からアウェイク状態に切り替えられ、ＡＰからＳＴＡに対してペンディングとなっているフレームが存在するかどうかに対する情報を受信することができる。ＡＰは、ＳＴＡのアウェイク状態への切り替え時間を考慮してＳＴＡに対してペンディングとなっているダウンリンクデータの存在に対する情報をＳＴＡに送信することができる。
【００６０】
具体的に、ＳＴＡは、ＳＴＡに対してペンディングとなっているフレームの存在可否に対する情報を受信するために周期的にドーズ状態からアウェイク状態に切り替えられてビーコンフレームを受信することができる。ビーコンフレームは、ＳＴＡのパッシブスキャニングのために使われるフレームであり、ＡＰの能力（ｃａｐａｂｉｌｉｔｙ）に対する情報を含むことができる。ＡＰは、周期的（例えば、１００ｍｓｅｃ）にビーコンフレームをＳＴＡに送信することができる。
【００６１】
図４は、ビーコンフレームベースのパワーセーブ方法を示す概念図である。  
【００６２】
図４を参照すると、ＡＰは、周期的にビーコンフレームを送信することができ、ＳＴＡは、ビーコンフレームの送信タイミングを考慮して周期的にドーズ状態からアウェイク状態に切り替えられることでビーコンフレームを受信することができる。
【００６３】
ビーコンフレームには、ＴＩＭ要素（ｔｒａｆｆｉｃ  ｉｎｄｉｃａｔｉｏｎ  ｍａｐ  ｅｌｅｍｅｎｔ）が含まれることができる。ＴＩＭ要素は、ＡＰにペンディングとなっているＳＴＡに対するダウンリンクデータに対する情報を送信するために使われることができる。例えば、ＴＩＭ要素は、ビットマップ基盤にＳＴＡにペンディングフレームに対する情報を送信することができる。ＴＩＭ要素は、ＴＩＭまたはＤＴＩＭ（ｄｅｌｉｖｅｒｙ  ＴＩＭ）に区分されることができる。ＴＩＭは、ＳＴＡにユニキャスト基盤に送信されるペンディングダウンリンクデータの存在を指示することができる。ＤＴＩＭは、ブロードキャスト／マルチキャスト基盤に送信されるペンディングダウンリンクデータの存在を指示することができる。
【００６４】
図４の上段は、ＡＰがＰＳ（ｐｏｗｅｒ  ｓａｖｉｎｇ）−ｐｏｌｌフレームに対して即刻応答に基づいてダウンリンクフレームを送信する方法に対して開示する。
【００６５】
図４の上段を参照すると、ＳＴＡは、ビーコンフレーム４００のＴＩＭに基づいてＡＰからＳＴＡに対してペンディングとなっているダウンリンクデータの存在に対する情報を受信することができる。ＳＴＡは、ＰＳ−ｐｏｌｌフレーム４１０をＡＰに送信することができる。ＡＰは、ＳＴＡからＰＳ−ｐｏｌｌフレーム４１０を受信し、ＰＳ−ｐｏｌｌフレーム４１０に対する即刻応答（ｉｍｍｅｄｉａｔｅ  ｒｅｓｐｏｎｓｅ）としてダウンリンクフレーム４２０をＳＴＡに送信することができる。ＡＰのＰＳ−ｐｏｌｌフレームに対する即刻応答は、ＰＳ−ｐｏｌｌフレームを受信し、ＳＩＦＳ（ｓｈｏｒｔ  ｉｎｔｅｒｆｒａｍｅ  ｓｐａｃｅ）後に実行されることができる。
【００６６】
ＳＴＡは、ダウンリンクフレームに対する応答としてＡＣＫフレーム４３０を送信することができる。ＡＰのＳＴＡに対してペンディングとなっているダウンリンクデータの送信が終了される場合、ＳＴＡは、ドーズ状態に再び切り替え（または、移行（ｔｒａｎｓｉｔｉｏｎ））られることができる。
【００６７】
図４の下段は、ＰＳ−ｐｏｌｌフレームに対して延期された応答（ｄｅｆｅｒｒｅｄ  ｒｅｓｐｏｎｓｅ）に基づくＡＰのダウンリンクフレームの送信方法を開示する。
【００６８】
図４の下段を参照すると、ＳＴＡは、ビーコンフレーム４４０のＴＩＭに基づいてＡＰからＳＴＡに対してペンディングとなっているダウンリンクデータの存在に対する情報を受信することができる。ＳＴＡは、ＰＳ−ｐｏｌｌフレーム４５０をＡＰに送信することができる。ＡＰは、ＳＴＡからＰＳ−ｐｏｌｌフレーム４５０を受信し、ＰＳ−ｐｏｌｌフレーム４５０に対する応答としてＡＣＫフレーム４６０をＳＴＡに送信することができる。ＡＰは、ＡＣＫフレーム４６０の送信以後、ペンディングダウンリンクデータを含むダウンリンクフレーム４７０をＳＴＡに送信することができる。ＳＴＡは、ＡＣＫフレーム４６０の受信以後、ＡＰによりＳＴＡに送信されるダウンリンクフレーム４７０をモニタリングすることができる。
【００６９】
同様に、ＡＰのＳＴＡに対してペンディングとなっているダウンリンクデータの送信が終了される場合、ＳＴＡは、アウェイク状態からドーズ状態に再び切り替え（または、移行（ｔｒａｎｓｉｔｉｏｎ））られることができる。
【００７０】
図５は、ビーコンフレームベースのパワーセーブ方法を示す概念図である。
【００７１】
図５では、ビーコンフレーム５００を介してＤＴＩＭが送信される場合が開示される。ビーコンフレーム５００は、ＤＴＩＭを含むことができる。前述したように、ＤＴＩＭは、ブロードキャスト／マルチキャスト基盤に送信されるペンディングダウンリンクデータの存在を指示することができる。
【００７２】
図５を参照すると、ＡＰは、ＤＴＩＭを含むビーコンフレーム５００をＳＴＡに送信することができる。ＳＴＡは、ＤＴＩＭを含むビーコンフレーム５００を受信した後、ＰＳ−ｐｏｌｌフレームの送信なしでアウェイク状態を維持し、ダウンリンクフレーム５２０の送信をモニタリングすることができる。ＡＰは、マルチキャスト方法またはブロードキャスト方法を介してダウンリンクフレーム５２０をＳＴＡに送信することができる。
【００７３】
以下、本発明の実施例において、ＡＰからＳＴＡへの送信はダウンリンク送信という用語で表現されることができる。ダウンリンク送信を介して送信されるＰＰＤＵ、フレーム及びデータの各々は、ダウンリンクＰＰＤＵ、ダウンリンクフレーム及びダウンリンクデータという用語で表現されることができる。ＰＰＤＵは、ＰＰＤＵヘッダとＰＳＤＵ（ｐｈｙｓｉｃａｌ  ｌａｙｅｒ  ｓｅｒｖｉｃｅ  ｄａｔａ  ｕｎｉｔ）（または、ＭＰＤＵ（ＭＡＣ  ｐｒｏｔｏｃｏｌ  ｄａｔａ  ｕｎｉｔ））を含むデータ単位である。ＰＰＤＵヘッダは、ＰＨＹヘッダとＰＨＹプリアンブルを含むことができ、ＰＳＤＵ（または、ＭＰＤＵ）は、フレームを含み、または指示することができる。ＰＨＹヘッダは、他の用語として、ＰＬＣＰ（ｐｈｙｓｉｃａｌ  ｌａｙｅｒ  ｃｏｎｖｅｒｇｅｎｃｅ  ｐｒｏｔｏｃｏｌ）ヘッダで表現され、ＰＨＹプリアンブルは、他の用語として、ＰＬＣＰプリアンブルで表現されることもできる。
【００７４】
また、ＳＴＡからＡＰへの送信は、アップリンク送信という用語で表現されることができる。アップリンク送信を介して送信されるＰＰＤＵ、フレーム及びデータの各々は、アップリンクＰＰＤＵ、アップリンクフレーム及びアップリンクデータという用語で表現されることができる。
【００７５】
図６は、ＴＩＭベースのパワーセーブモード動作を実行するＳＴＡの動作状態を示した概念図である。
【００７６】
図６では、ＴＩＭベースのパワーセーブモードで動作するＳＴＡが、ＳＴＡを含むＢＳＳまたは他のＢＳＳからノンターゲットフレーム（または、干渉信号）を受信した場合、ＳＴＡの動作モードが開示される。ノンターゲットフレームは、ＡＰによりＳＴＡに送信されるダウンリンクデータを除外した他のデータを含むフレームである。
【００７７】
既存の無線ＬＡＮシステムにおいて、ＴＩＭベースのパワーセーブで動作するＳＴＡは、送信したＰＳ−ｐｏｌｌフレームに対するＡＣＫフレームを受信した場合、受信されるノンターゲットフレームのＣＣＡセンシングレベル（ＣＣＡ  ｓｅｎｓｉｔｉｖｉｔｙ  ｌｅｖｅｌ）に関係なしでアクティブ状態を維持するように設定された。
【００７８】
図６を参照すると、既存の無線ＬＡＮシステムにおいて、ＳＴＡは、ＢＳＳまたは他のＢＳＳからノンターゲットフレームを受信した場合、既存の最小ＣＣＡセンシングレベル６００及び新しく定義されたＣＣＡセンシングレベル（例えば、−６２ｄＢｍ）６５０を基準にしたセンシング結果に関係なしで継続的にアウェイク状態を維持した。
【００７９】
ＡＰは、コンテンションベースのチャネルアクセスを介してＰＳ−ｐｏｌｌフレームに対する応答としてダウンリンクフレームを送信することができる。ＡＰがチャネルアクセス途中でＢＳＳまたは他のＢＳＳにより送信されたノンターゲットフレームを受信し、ノンターゲットフレームによるＳＴＡのチャネル状態に対してビジーかまたはアイドルかを決定することができる（予測することができる）場合）、ＡＰは、ノンターゲットフレームによるＳＴＡ上の干渉程度に対して知ることができる。
【００８０】
例えば、ＡＰとＳＴＡのノンターゲットフレームに基づくチャネル状態の判断が同じ場合を仮定することができる。ＡＰがノンターゲットフレームに基づいてチャネル状態をビジーと判断する場合、ＡＰは、ＳＴＡのノンターゲットフレームに基づくチャネル状態の判断結果をビジーと決定（または、予測）することができる。それに対し、ＡＰがノンターゲットフレームに基づいてチャネル状態をアイドルと判断する場合、ＡＰは、ＳＴＡのノンターゲットフレームに基づくチャネル状態の判断結果をアイドルと決定（または、予測）することができる。
【００８１】
本発明の実施例によると、ＡＰがチャネルアクセス途中でＢＳＳまたは他のＢＳＳにより送信されたノンターゲットフレームを受信し、ＳＴＡのノンターゲットフレームに基づくチャネル状態に対してビジーかまたはアイドルかの判断を知ることができる場合、ＡＰは、ノンターゲットフレームによる激しい干渉が発生する時間区間でＴＩＭベースのパワーセーブモードで動作するＳＴＡの動作モードをドーズ状態に切り替えさせることができる。それに対し、ＡＰは、ノンターゲットフレームによる激しい干渉が発生しない時間区間でＴＩＭベースのパワーセーブモードで動作するＳＴＡの動作モードをアイドル状態に維持させることで、ＳＴＡに対してペンディングとなっているダウンリンクデータを含むダウンリンクフレームをＳＴＡに送信することもできる。このようなＴＩＭベースのパワーセーブモードで動作するＳＴＡのドーズ状態への切り替えは、ＳＴＡの電力消費及びフレーム間の衝突を減らすことができる。
【００８２】
ＡＰのＳＴＡのノンターゲットフレームに基づくチャネル状態に対してビジーかまたはアイドルかに対する判断結果を決定（予測）するために、ＳＴＡとＡＰは、以下の図７のようなトポロジ（ｔｏｐｏｌｏｇｙ）を有することができる。図７で開示されるトポロジ下では、ＡＰはＳＴＡのノンターゲットフレームによる干渉の程度に対して決定できる。
【００８３】
図７で開示されるＡＰのＳＴＡのノンターゲットフレームに基づくチャネル状態に対してビジーかまたはアイドルかに対する判断結果を予測するためのトポロジは、一つの例示である。図７を除外した多様なＡＰのＳＴＡのノンターゲットフレームに基づくチャネル状態に対してビジーかまたはアイドルかに対する判断結果を予測するためのトポロジが定義されることができる。
【００８４】
図７は、本発明の実施例に係るＳＴＡとＡＰの相互間のチャネル状態予測のためのトポロジである。
【００８５】
図７では、本発明の実施例に係るＳＴＡとＡＰの相互間のチャネル状態予測のためのＳＴＡとＡＰとの間の位置関係が開示される。
【００８６】
図７を参照すると、ＢＳＳ１は、ＡＰ１  ７００及びＳＴＡ１  ７１０を含み、ＢＳＳ２は、ＡＰ２  ７５０及びＳＴＡ２  ７６０を含むことができる。
【００８７】
ＳＴＡ１  ７１０は、ＡＰ１  ７００と結合され、ＳＴＡ２  ７６０は、ＡＰ２  ７５０と結合されることができる。ＳＴＡ１  ７１０とＡＰ１  ７００との間の距離が近い場合、ＳＴＡ１  ７１０及びＡＰ１  ７００の各々は、ＢＳＳ２（例えば、ＳＴＡ２  ７６０及びＡＰ２  ７５０）により送信されるノンターゲットフレームを類似の範囲の受信信号レベルで受信することができる。ＳＴＡは、ＰＨＹ階層で受信信号の強度を測定し、受信信号の強度が特定ＣＣＡセンシングレベルより小さい場合、媒体の状態をアイドル（ｉｄｌｅ）と決定し、受信信号の強度がＣＣＡセンシングレベルより大きいまたは同じ場合、媒体の状態をビジー（ｂｕｓｙ）と決定できる。
【００８８】
隣接距離に位置したＳＴＡ１  ７１０及びＡＰ１  ７００の各々がＢＳＳ２により送信されるノンターゲットフレームを類似の受信信号レベルで聞き取る場合、ＳＴＡ１  ７１０及びＡＰ１  ７００は、ＢＳＳ２により送信されるノンターゲットフレームに基づいて媒体のビジーまたはアイドルを同じように決定することができる。このような場合、ＳＴＡ１  ７１０は、ＡＰ１  ７００のノンターゲットフレームに基づく媒体のビジーまたはアイドルに対する判断結果を予測することができる。それに対し、ＡＰ１  ７００もＳＴＡ１  ７１０のノンターゲットフレームに基づく媒体のビジーまたはアイドルに対する判断結果（または、ノンターゲットフレームによるＳＴＡ１  ７１０に対する干渉程度）を予測することができる。
【００８９】
ＡＰ及び／またはＳＴＡは、あらかじめＡＰとＳＴＡの各々がノンターゲットフレームを同一または類似の受信レベルで受信するかどうかに対して決定できる。
【００９０】
例えば、ＡＰとＳＴＡは、相互間に送信及び受信されるフレームの信号強度に基づいてＡＰとＳＴＡの各々のノンターゲットフレームの受信レベルが同じかまたは類似かを決定することができる。  
【００９１】
例えば、ＳＴＡは、ＡＰから受信したフレーム（例えば、ビーコンフレーム）の送信信号強度と受信信号強度に基づいてＡＰとＳＴＡが類似の範囲の受信信号レベルでノンターゲットフレームを受信するかどうかを予測することができる。ＳＴＡの観点から見ると、ＡＰから受信したフレームの送信信号強度と受信信号強度との間の差が相対的に小さいほど、ＳＴＡとＡＰの距離は相対的に近い。ＡＰから受信したフレームの送信信号強度と受信信号強度との間の差が特定閾値以下である場合、ＳＴＡは、ＡＰがＳＴＡと類似の範囲の受信信号レベルで他のＢＳＳにより送信されるフレームを受信し、媒体のビジーまたはアイドルに対してＡＰがＳＴＡと同じ判断を実行すると予測できる。それに対し、ＡＰの観点から見ると、ＳＴＡから受信したフレームの送信信号強度と受信信号強度との間の差が相対的に小さいほど、ＳＴＡとＡＰの距離は相対的に近い。
【００９２】
ＳＴＡは、ＡＰにより送信されるフレームの受信強度に基づいて周期的にＡＰとＳＴＡが媒体のビジーまたはアイドルに対して同じ判断を実行するかどうかに対して判断できる。ＳＴＡだけでなくＡＰも、ＳＴＡにより送信されるフレームの受信強度に基づいて周期的にＡＰとＳＴＡが媒体のビジーまたはアイドルに対して同じ判断を実行するかどうかに対して決定し、これに対する結果をＳＴＡに送信することもできる。
【００９３】
それだけでなく、ＡＰは、受信したフレームの送信信号強度と受信信号強度との間の差に基づいてＳＴＡとの距離を予測することができる。ＡＰは、予測された距離に基づいてノンターゲットフレームによるＳＴＡ上の干渉に対して予測し、ノンターゲットフレームに基づくＳＴＡのチャネルに対する判断に対して決定（または、予測）することができる。
【００９４】
本発明の実施例によると、ＡＰは、ノンターゲットフレームに基づくＳＴＡのチャネルに対する判断を決定（または、予測）することができる場合、後述するＡＣＫフレームを送信する時、パワー管理制御ビットの値を１に設定し、パワー管理制御フレームベースのＳＴＡの動作状態設定を実行することができる。
【００９５】
以下、本発明の実施例では、ＡＰがＳＴＡのノンターゲットフレームに基づくチャネルに対する判断に対して決定（または、予測）可能な場合を仮定して説明する。
【００９６】
また、以下、本発明の実施例では、ＡＰがＴＩＭベースのパワーセーブモードで動作するＳＴＡにダウンリンクフレームを送信するためのチャネルアクセス途中でノンターゲットフレームを受信した場合、ＡＰによるＳＴＡの動作状態決定方法が開示される。特に、本発明では、ノンターゲットフレームのうち他のＢＳＳにより送信されたノンターゲットフレームに基づくＡＰによるＳＴＡの動作状態決定方法が開示される。他のＢＳＳで送信されたノンターゲットフレームは、他のＢＳＳフレームという用語で表現されることができる。他のＢＳＳフレームを伝達するＰＰＤＵは、他のＢＳＳ  ＰＰＤＵという用語で表現されることができる。
【００９７】
図８は、本発明の実施例に係るＡＰのＴＩＭベースのパワーセーブモードで動作するＳＴＡの動作状態の設定方法を示した概念図である。
【００９８】
図８では、ＡＰのノンターゲットフレームの受信強度とＣＣＡセンシングレベルに基づいてＴＩＭベースのパワーセーブモードで動作するＳＴＡの動作状態決定方法が開示される。
【００９９】
図８を参照すると、ＡＰがＴＩＭベースのパワーセーブモードで動作するＳＴＡからＰＳ−ｐｏｌｌフレームを受信し、ＰＳ−ｐｏｌｌフレームに対する応答としてＡＣＫフレームをＳＴＡに送信することができる。
【０１００】
ＡＣＫフレームは、他のＢＳＳフレームの受信強度に基づくＳＴＡの動作状態決定方法が実行されるかどうかに対する情報を含むことができる。他の表現として、ＡＣＫフレームは、パワー管理制御フレームに基づくＳＴＡの動作状態決定方法が実行されるかどうかに対する情報を含むことができる。他のＢＳＳフレームの受信強度に基づくＳＴＡの動作状態決定方法が実行されるかどうかに対する情報（または、パワー管理制御フレームに基づくＳＴＡの動作状態決定方法が実行されるかどうかに対する情報）は、後述するＡＣＫフレームのパワー管理制御フィールドに含まれることができる。ＡＰは、他のＢＳＳフレームに基づくＳＴＡのチャネルに対する判断を決定（または、予測）することができる場合、他のＢＳＳフレームの受信強度に基づくＳＴＡの動作状態決定方法の実行を指示する情報を含むパワー管理制御フィールドをＡＣＫフレームを介して送信することができる。
【０１０１】
ＡＰは、ＳＴＡに対してペンディングとなっているダウンリンクデータを含むダウンリンクフレームを送信するためにコンテンションベースのチャネルアクセスを実行することができる。ＡＰは、チャネルアクセス途中で媒体上で送信されるフレーム（または、ＰＰＤＵ）をセンシング（または、受信）することができる。ＡＰは、受信したフレームまたはフレームを伝達する（ｃａｒｒｙｉｎｇ）ＰＰＤＵに含まれるフレームまたはＰＰＤＵを伝達したＢＳＳに対する識別情報（例えば、カラービット（ｃｏｌｏｒ  ｂｉｔ）、ＰＢＳＳＩＤ等）に基づいて受信したフレームが他のＢＳＳフレームかどうかを決定することができる。
【０１０２】
ＡＰは、チャネルアクセス途中で受信したフレームが他のＢＳＳフレームであり、フレームの受信強度が第１のＣＣＡセンシングレベル８００より大きく、第２のＣＣＡセンシングレベル８５０より小さい場合、ＴＩＭベースのパワーセーブモードで動作するＳＴＡの状態をアウェイク状態に設定できる。例えば、ＡＰは、受信したフレームに対するカラービット情報に基づいて受信したフレームが他のＢＳＳフレームであることを確認することができる。ＡＰは、受信した他のＢＳＳの受信強度が第１のＣＣＡセンシングレベル８００より大きく、第２のＣＣＡセンシングレベル８５０より小さい場合、ＡＰは、ＳＴＡの状態をアウェイク状態に維持するための情報を含むパワー管理制御フレーム（ｐｏｗｅｒ  ｍａｎａｇｅｍｅｎｔ  ｃｏｎｔｒｏｌ  ｆｒａｍｅ）をＳＴＡに送信することができる。パワー管理制御フレームと他のＢＳＳフレームとの間のフレーム間の間隔は、あらかじめ定義された時間間隔（例えば、ＳＩＦＳ（ｓｈｏｒｔ  ｉｎｔｅｒｆｒａｍｅ  ｓｐａｃｅ）である。ＡＰのＳＴＡのアウェイク状態の設定のための動作に対しては具体的に後述する。
【０１０３】
または、ＡＰは、受信したフレームが他のＢＳＳフレームであり、フレームの受信強度が第２のＣＣＡセンシングレベル８５０より小さい場合、ＳＴＡの状態をアウェイク状態に維持するように設定することもできる。
【０１０４】
第１のＣＣＡセンシングレベル８００は、最小ＣＣＡセンシングレベル（ｍｉｎｉｍｕｍ  ＣＣＡ  ｓｅｎｓｉｔｉｖｉｔｙ  ｌｅｖｅｌ）であり、既存の無線ＬＡＮシステムにおいて、チャネルがビジーかまたはアイドルかを確認するための値である。例えば、第１のＣＣＡセンシングレベル８００は、２０ＭＨｚ帯域幅を基準に−７２ｄＢｍである。第２のＣＣＡセンシングレベル８５０は、本発明の実施例に係る新しく定義されたＣＣＡセンシングレベルであり、本発明の実施例に係る無線ＬＡＮシステムにおいて、チャネルがビジーかまたはアイドルかを確認するための値である。第２のＣＣＡセンシングレベル８５０は、第１のＣＣＡセンシングレベル８００より大きい値（例えば、−６２ｄＢｍ）に定義されることができる。第２のＣＣＡセンシングレベル８５０に基づいてチャネルのアイドル可否を判断する場合が第１のＣＣＡセンシングレベル８００に基づいてチャネルのアイドル可否を判断する場合よりチャネルがアイドルと判断する確率が高まることができる。即ち、第２のＣＣＡセンシングレベル８５０に基づいてチャネルのアイドル可否を判断して動作するＳＴＡは、チャネルに対する敏感度が低くて相対的にフレーム送信機会を多く取得することができる。第２のＣＣＡセンシングレベル８５０は、ＡＰの他のＢＳＳフレームの受信強度に基づいてＴＩＭベースのパワーセーブモードで動作するＳＴＡの動作状態を決定するために設定された別途の値である。以下、本発明の実施例では、第２のＣＣＡセンシングレベル８５０は、他の用語として、パワー管理ＣＣＡセンシングレベル（ｐｏｗｅｒ  ｍａｎａｇｅｍｅｎｔ  ＣＣＡ  ｓｅｎｓｉｔｉｖｉｔｙ  ｌｅｖｅｌ）という用語で表現されることができる。
【０１０５】
それに対し、ＡＰは、受信したフレームが他のＢＳＳフレームであり、フレームの受信強度がパワー管理ＣＣＡセンシングレベルより大きいまたは同じ場合、ＴＩＭベースのパワーセーブモードで動作するＳＴＡの状態をドーズ状態に設定できる。例えば、ペンディングとなっているダウンリンクデータを含むダウンリンクフレームをＳＴＡに送信するために、ＡＰは、受信したフレームのカラービット情報に基づいて受信したフレームが他のＢＳＳフレームであることを確認することができる。ＡＰは、受信した他のＢＳＳの受信強度がパワー管理ＣＣＡセンシングレベルより大きいまたは同じ場合、ＡＰは、ＳＴＡの状態をドーズ状態に設定するための情報を含むパワー管理制御フレームをＳＴＡに送信することができる。パワー管理制御フレームと他のＢＳＳフレームとの間のフレーム間の間隔は、あらかじめ定義された間隔（例えば、ＳＩＦＳ）である。ＡＰのＳＴＡのドーズ状態の設定のための動作に対しては具体的に後述する。
【０１０６】
図９は、本発明の実施例に係るＡＰのＴＩＭベースのパワーセーブモードで動作するＳＴＡの動作状態の設定方法を示した概念図である。
【０１０７】
図９では、ＡＰがＴＩＭベースのパワーセーブモードで動作するＳＴＡにペンディングとなっているダウンリンクデータを含むダウンリンクフレームの送信のためのチャネルアクセス途中で他のＢＳＳフレームを受信した場合、ＡＰのＳＴＡの動作状態の制御方法に対して開示する。図９では、特に、他のＢＳＳフレームの受信強度がパワー管理ＣＣＡセンシングレベルより小さい場合、ＡＰのＳＴＡの動作状態の設定方法が開示される。
【０１０８】
図９を参照すると、ＴＩＭベースのパワーセーブモードで動作するＳＴＡは、聞き取りインターバルに基づいてビーコンフレーム９００の受信のためにドーズ状態からアウェイク状態に切り替えられることができる。
【０１０９】
ＳＴＡは、ＳＴＡに対してペンディングとなっているダウンリンクデータを指示するＴＩＭを含むビーコンフレーム９００をＡＰから受信することができる。ＳＴＡは、ダウンリンクデータを指示するＴＩＭを含むビーコンフレーム９００を受信してコンテンションベースのチャネルアクセスを実行することで、ＰＳ−ｐｏｌｌフレーム９１０をＡＰに送信することができる。
【０１１０】
ＰＳ−ｐｏｌｌフレーム９１０を受信したＡＰは、ＰＳ−ｐｏｌｌフレーム９１０に対する応答としてＡＣＫフレーム９２０をＳＴＡに送信することができる。ＡＣＫフレーム９２０は、パワー管理制御フィールドを含むことができる。例えば、ＡＣＫフレーム９２０に含まれるパワー管理制御フィールドの値が１である場合、ＡＰがＡＣＫフレーム９２０を送信以後、チャネルアクセス途中で受信した他のＢＳＳフレーム９３０の受信強度に基づいてＳＴＡの動作状態を設定することができることを指示することができる。
【０１１１】
ＡＰは、ＡＣＫフレーム９２０を送信した以後、チャネルアクセス途中で受信した他のＢＳＳフレーム９３０の受信強度に基づいてＳＴＡの動作状態を設定するためにパワー管理制御フレーム９４０を送信することができる。ＡＰにより送信されるパワー管理制御フレーム９４０は、ＴＩＭベースのパワーセーブモードで動作するＳＴＡのドーズ状態またはアウェイク状態を設定するために使われることができる。ＡＣＫフレーム９２０のパワー管理制御フィールドの値に基づいて本発明の実施例に係る他のＢＳＳフレームの受信強度に基づくＳＴＡの動作状態の設定可否が指示されることができる。
【０１１２】
ＳＴＡは、ＡＣＫフレーム９２０に含まれているパワー管理制御フィールドを介してパワー管理制御フレーム９４０に基づくパワー管理動作の実行可否を決定することができる。例えば、ＳＴＡは、受信したＡＣＫフレーム９２０のパワー管理制御フィールドの値が１である場合、ＡＣＫフレーム９２０の受信以後、パワー管理制御フレーム９４０の送信可否をモニタリングすることで、ドーズ状態に切り替えるかまたはアウェイク状態を維持するかに対して決定できる。
【０１１３】
図９では、ＡＣＫフレーム９２０のパワー管理制御フィールドが１である場合が仮定される。
【０１１４】
ＡＰは、ＡＣＫフレーム９２０を送信し、ＳＴＡに対してペンディングとなっているダウンリンクデータを含むダウンリンクフレームをＳＴＡに送信するためにコンテンションベースのチャネルアクセスを実行することができる。
【０１１５】
具体的に、ＡＰは、媒体のアイドルまたはビジーを判断してＳＴＡにダウンリンクフレームを送信するためのコンテンションベースのチャネルアクセスを実行することができる。例えば、ＡＰは、一定期間（例えば、ＤＩＦＳ（ＤＣＦ（ｄｉｓｔｒｉｂｕｔｅｄ  ｃｏｏｒｄｉｎａｔｉｏｎ  ｆｕｎｃｔｉｏｎ）ｉｎｔｅｒｆｒａｍｅ  ｓｐａｃｅ））以上に媒体が使用中でない場合（即ち、媒体がアイドルな場合）ダウンリンクフレームを送信することができる。それに対し、媒体が搬送波検知メカニズム（ｃａｒｒｉｅｒ  ｓｅｎｓｉｎｇ  ｍｅｃｈａｎｉｓｍ）により使用中であると決定された場合、ＡＰは、ランダムバックオフアルゴリズム（ｒａｎｄｏｍ  ｂａｃｋｏｆｆ  ａｌｇｏｒｉｔｈｍ）によりＣＷ（ｃｏｎｔｅｎｔｉｏｎ  ｗｉｎｄｏｗ）のサイズを決定してバックオフ手順を実行することができる。媒体が使用中であるかどうかは、ＣＣＡセンシングレベル（例えば、第１のＣＣＡセンシングレベルまたは第２のＣＣＡセンシングレベル）を基準に判断されることができる。バックオフ手順のために、ＡＰは、ＣＷ内でランダム変数を選択することができ、ＡＰのランダム変数の選択によってＡＰのバックオフ時間が決定されることができる。ＡＰは、バックオフ時間に基づいてダウンリンクフレームの送信のためのチャネルアクセスを実行することができる。
【０１１６】
ＡＰがチャネルアクセスを成功してダウンリンクフレーム９５０を送信する前に、ＡＰは、他のＢＳＳフレーム９３０を受信することができる。例えば、ＡＰを含むＢＳＳと重なる他のＢＳＳに含まれる他のＳＴＡ（または、他のＡＰ）がＡＰより媒体をまず占有した場合、ＡＰは、他のＳＴＡまたは他のＡＰにより送信される他のＢＳＳフレーム９３０を受信することができる。図７で開示されたトポロジのようにＡＰとＳＴＡが隣接位置にある場合、ＡＰと同じＢＳＳに含まれるＳＴＡも他のＢＳＳフレーム９３０を受信することができる。
【０１１７】
本発明の実施例によると、フレームを伝達するＰＰＤＵは、ＰＰＤＵを送信したＢＳＳを指示するＢＳＳ識別情報（例えば、カラービット（ｃｏｌｏｒ  ｂｉｔ）、ＰＢＳＳＩＤ（ｐａｒｔｉａｌ  ｂａｓｉｃ  ｓｅｒｖｉｃｅ  ｓｅｔ  ｉｄｅｎｔｉｆｉｅｒ））を含むことができる。他の表現として、フレームのＰＨＹヘッダ（または、ＰＬＣＰヘッダ）は、フレームを送信したＢＳＳを指示するＢＳＳ識別情報（カラービット、ＰＢＳＳＩＤ）を含むことができる。例えば、カラービットは、Ｘビット（例えば、Ｘ＝３）のＢＳＳの識別情報であり、ＢＳＳの識別のために使われることができる。ＢＳＳカラービットは、ＡＰにより設定され、ＡＰは、設定されたＢＳＳカラービットに対する情報をＳＴＡに送信することができる。ＢＳＳカラービットは、０〜７の整数値のうち一つであり、ＢＳＳが存在する間にＡＰにより設定されたＢＳＳカラービットは維持されることができる。
【０１１８】
ＰＢＳＳＩＤは、Ｙビット（例えば、Ｙ＝９）のＢＳＳの識別情報であり、ＢＳＳの識別のために使われることができる。ＰＢＳＳＩＤは、ＢＳＳを識別するためのＢＳＳＩＤを構成するビットのうち一部のビットに基づいてＢＳＳを識別するために使われることができる。ＢＳＳＩＤは、４８ビットＭＡＣアドレスであり、ＢＳＳに対する特有（ｕｎｉｑｕｅ）の識別情報である。例えば、ＰＢＳＳＩＤは、ＢＳＳＩＤのうち９ビットのＬＳＢ（ｌｅａｓｔ  ｓｉｇｎｉｆｉｃａｎｔ  ｂｉｔ）である。
【０１１９】
即ち、フレームを伝達するＰＰＤＵのヘッダは、フレーム（または、ＰＰＤＵ）を送信したＢＳＳ識別情報を含むことができ、ＡＰは、受信したＰＰＤＵに含まれているＢＳＳ識別情報に基づいて受信したフレームが他のＢＳＳフレームであることを知ることができる。ＡＰは、チャネルアクセス途中で他のＢＳＳフレームを受信した場合、他のＢＳＳフレームの受信強度とパワー管理ＣＣＡセンシングレベル（または、パワー管理ＣＣＡレベル、またはパワー管理ＣＣＡ閾値（ｔｈｒｅｓｈｏｌｄ））を比較してパワー管理制御フレームの送信可否を決定することができる。他のＢＳＳフレームの受信強度は、他のＢＳＳフレームを伝達するＰＰＤＵのＰＬＣＰヘッダのＲＳＳＩ（ｒｅｃｅｉｖｅｄ  ｓｉｇｎａｌ  ｓｔｒｅｎｇｔｈ  ｉｎｄｉｃａｔｏｒ）である。
【０１２０】
図９では、ＡＰにより受信された他のＢＳＳフレーム９３０の受信強度がパワー管理ＣＣＡセンシングレベルより小さい場合が開示される。ＡＰにより受信された他のＢＳＳフレーム９３０の受信強度がパワー管理ＣＣＡセンシングレベルより小さい場合、ＡＰは、他のＢＳＳフレーム９３０による媒体上の干渉が大きくないと判断できる。前述したように、ＡＰとＳＴＡとの間のトポロジが図７のような場合、ＡＰは、ＳＴＡの他のＢＳＳフレーム９３０の受信強度もパワー管理ＣＣＡセンシングレベルより小さいと判断できる。したがって、ＡＰは、他のＢＳＳフレーム９３０によるＳＴＡ上の干渉が小さいと判断し、ＳＴＡのアウェイク状態の維持のためにＳＴＡにパワー管理制御フレーム９４０を送信することができる。
【０１２１】
ＡＰにより送信されるパワー管理制御フレーム９４０は、ＳＴＡのアウェイク状態またはドーズ状態の設定を指示するための状態設定フィールドを含むことができる。例えば、パワー管理制御フレーム９４０の状態設定フィールドが０である場合、ＳＴＡのドーズ状態への切り替えを指示することができる。それに対し、パワー管理制御フレーム９４０の状態設定フィールドが１である場合、ＳＴＡのアウェイク状態の維持を指示することができる。または、パワー管理制御フレーム９４０は、ＳＴＡのアウェイク状態の維持を指示するための情報のみを含むこともできる。ＡＰは、パワー管理制御フレーム９４０を他のＢＳＳフレームの受信以後に送信しないことによってＳＴＡのアウェイク状態からドーズ状態への切り替えを誘導することができる。
【０１２２】
ＳＴＡは、他のＢＳＳフレーム９３０を受信した以後、ＡＰにより送信されるパワー管理制御フレーム９４０の送信をモニタリングすることができる。ＳＴＡは、ＡＰにより送信されたパワー管理制御フレーム９４０の状態設定フィールドに基づいてドーズ状態に切り替えるか、またはアウェイク状態を維持するかを決定することができる。または、ＳＴＡは、ＡＰによるパワー管理制御フレーム９４０の送信可否に基づいてドーズ状態に切り替えるか、またはアウェイク状態を維持するかを決定することができる。
【０１２３】
ＡＰにより受信された他のＢＳＳフレーム９３０の受信強度がパワー管理ＣＣＡセンシングレベルより小さい場合、ＡＰは、ＳＴＡのアウェイク状態の維持のためのパワー管理制御フレーム９４０を送信することができる。
【０１２４】
ＳＴＡは、ＡＰからアウェイク状態の維持のためのパワー管理制御フレーム９４０を受信してアウェイク状態を維持することができる。
【０１２５】
ＡＰは、パワー管理制御フレーム９４０をＳＴＡに送信し、コンテンションベースのチャネルアクセスを実行してダウンリンクフレーム９５０をＳＴＡに送信することができる。または、ＡＰは、パワー管理制御フレーム９４０をＳＴＡに送信し、一定時間（例えば、ＳＩＦＳ）以後にダウンリンクフレーム９５０をＳＴＡに送信することができる。ＳＴＡは、ダウンリンクフレーム９５０に対する応答としてＡＣＫフレーム９６０をＡＰに送信することができる。
【０１２６】
パワー管理制御フレーム９４０を受信したＳＴＡは、アウェイク状態を維持し、ＡＰから送信されるダウンリンクフレーム９５０をモニタリングすることができる。ＳＴＡは、ＡＰからダウンリンクフレーム９５０を受信し、ダウンリンクフレーム９５０に対する応答としてＡＣＫフレーム９６０をＡＰに送信することができる。
【０１２７】
図１０は、本発明の実施例に係るＡＰのＴＩＭベースのパワーセーブモードで動作するＳＴＡの動作状態の制御方法を示した概念図である。
【０１２８】
図１０では、ＡＰがＴＩＭベースのパワーセーブモードで動作するＳＴＡにペンディングとなっているダウンリンクデータを含むダウンリンクフレームの送信のためのチャネルアクセス途中で他のＢＳＳフレームを受信した場合、ＡＰのＳＴＡの動作状態の制御方法に対して開示する。図１０では、特に、他のＢＳＳフレームの受信強度がパワー管理ＣＣＡセンシングレベルより大きいまたは同じ場合、ＡＰのＳＴＡの動作状態の設定方法が開示される。
【０１２９】
図１０を参照すると、ＴＩＭベースのパワーセーブモードで動作するＳＴＡは、聞き取りインターバルに基づいてビーコンフレーム１０００の受信のためにドーズ状態からアウェイク状態に切り替えられることができる。
【０１３０】
ＳＴＡは、ＳＴＡに対してペンディングとなっているダウンリンクデータを指示するＴＩＭを含むビーコンフレーム１０００をＡＰから受信することができる。ＳＴＡは、ダウンリンクデータを指示するＴＩＭを含むビーコンフレーム１０００を受信し、コンテンションベースのチャネルアクセスを実行してＰＳ−ｐｏｌｌフレーム１０１０をＡＰに送信することができる。
【０１３１】
ＰＳ−ｐｏｌｌフレーム１０１０を受信したＡＰは、ＰＳ−ｐｏｌｌフレーム１０１０に対する応答としてＡＣＫフレーム１０２０をＳＴＡに送信することができる。ＡＣＫフレーム１０２０は、パワー管理制御フィールドを含むことができる。ＡＣＫフレーム１０２０に含まれるパワー管理制御フィールドの値は、ＡＰがＡＣＫフレーム１０２０の送信以後、チャネルアクセス途中で受信した他のＢＳＳフレームの受信強度に基づいてパワー管理制御フレームを送信することができることを指示することができる。ＳＴＡは、ＡＣＫフレームに含まれているパワー管理制御フィールドを介してパワー管理制御フレームに基づくパワー管理動作の実行を決定し、パワー管理制御フレームをモニタリングすることができる。
【０１３２】
ＡＰは、ＡＣＫフレーム１０２０を送信し、ＳＴＡに対してペンディングとなっているダウンリンクデータを含むダウンリンクフレームをＳＴＡに送信するためにコンテンションベースのチャネルアクセスを実行することができる。ＡＰは、チャネルアクセスを成功してダウンリンクフレームをＳＴＡに送信する前に他のＢＳＳフレーム１０３０を受信することができる。フレームを伝達するＰＰＤＵのヘッダは、フレーム（または、ＰＰＤＵ）を送信したＢＳＳ識別情報を含むことができ、ＡＰは、受信したＰＰＤＵに含まれているＢＳＳ識別情報に基づいて受信したフレームが他のＢＳＳフレーム１０３０であることを知ることができる。
【０１３３】
図１０では、ＡＰにより受信された他のＢＳＳフレーム１０３０の受信強度がパワー管理ＣＣＡセンシングレベルより大きいまたは同じ場合が開示される。ＡＰにより受信された他のＢＳＳフレーム１０３０の受信強度がパワー管理ＣＣＡセンシングレベルより大きいまたは同じ場合、ＡＰは、他のＢＳＳフレーム１０３０の受信による媒体上の干渉が大きいと判断できる。ＡＰとＳＴＡとの間のトポロジが図７のような場合、ＡＰは、ＳＴＡの他のＢＳＳフレーム１０３０の受信強度もパワー管理ＣＣＡセンシングレベルより大きいまたは同じであると判断できる。したがって、ＡＰは、別途のパワー管理制御フレームを送信しないことによってＳＴＡをドーズ状態に切り替えさせることができる。または、ＡＰがドーズ状態への切り替えを指示する状態設定フィールドを含むパワー管理制御フレームをＳＴＡに送信してＳＴＡをドーズ状態に切り替えることもできる。
【０１３４】
以下、本発明の実施例では、ＡＰが別途のパワー管理制御フレームをＳＴＡに送信しないことによってＳＴＡをドーズ状態に切り替えさせる方法を開示する。
【０１３５】
ＳＴＡは、他のＢＳＳフレーム１０３０を受信した以後、ＡＰにより送信されるパワー管理制御フレームの送信をモニタリングすることができる。ＳＴＡは、他のＢＳＳフレーム１０３０を受信し、一定時間（例えば、ＳＩＦＳ）後までＡＰからパワー管理制御フレームを受信することができない場合、ドーズ状態への切り替えを決定することができる。例えば、ＡＰとＳＴＡとの間のトポロジが図７のような場合、ＳＴＡとＡＰは、他のＢＳＳフレーム１０３０を受信することができる。ＳＴＡは、他のＢＳＳフレーム１０３０を受信し、一定時間（例えば、ＳＩＦＳ）以後にパワー管理制御フレームを受信することができない場合、ＳＴＡは、ドーズ状態への切り替えを決定することができる。ＳＴＡとＡＰは、他のＢＳＳフレーム１０３０（または、他のＢＳＳフレームを伝達するＰＰＤＵ）に基づいてＮＡＶを設定することができる。ＮＡＶは、無線媒体上でＳＴＡによるフレームの送信が実行されない時間区間の指示子（ｉｎｄｉｃａｔｏｒ  ｏｆ  ｔｉｍｅ  ｐｅｒｉｏｄ）である。
【０１３６】
ＡＰとＳＴＡは、他のＢＳＳフレーム１０３０を伝達するＰＰＤＵのＰＨＹヘッダに含まれているＬ−ＳＩＧフィールドの長さ情報に基づいて他のＢＳＳフレーム１０３０の送信のためのＴＸＯＰ（ｔｒａｎｓｍｉｓｓｉｏｎ  ｏｐｐｏｒｔｕｎｉｔｙ）デュレーションを知ることができる。ＡＰとＳＴＡは、他のＢＳＳフレーム１０３０を伝達するＰＰＤＵのＴＸＯＰデュレーションに基づいてＮＡＶ値を設定することができる。ＳＴＡは、他のＢＳＳフレーム１０３０の送信のためのＴＸＯＰデュレーション（または、設定されたＮＡＶタイマ）の間にドーズ状態に切り替えられることができる。
【０１３７】
または、ＡＰとＳＴＡは、他のＢＳＳフレームのＭＡＣヘッダに含まれるデュレーションフィールドに基づいて他のＢＳＳフレームの送信のためのＴＸＯＰデュレーションを知ることもできる。ＡＰとＳＴＡは、他のＢＳＳフレームを伝達するＰＰＤＵのＴＸＯＰデュレーションに基づいてＮＡＶ値を設定することができる。ＳＴＡは、他のＢＳＳフレームの送信のためのＴＸＯＰデュレーションの間にドーズ状態に切り替えられることができる。
【０１３８】
即ち、ＡＰが他のＢＳＳによる干渉が大きい場合、ＴＩＭベースのパワーセーブモードで動作するＳＴＡを他のＢＳＳによる干渉が大きい時間区間でドーズ状態に切り替えることによってダウンリンクフレームと他のＢＳＳフレームとの間の衝突を避けてＳＴＡの電力を節約することができる。
【０１３９】
図１１は、本発明の実施例に係るＡＣＫフレームを示した概念図である。
【０１４０】
図１１では、パワー管理制御フィールド１１３０を含むＡＣＫフレームが開示される。
【０１４１】
図１１を参照すると、ＡＣＫフレームのＭＡＣヘッダは、フレーム制御フィールド１１００、デュレーションフィールド１１１０、ＲＡ（ｒｅｃｅｉｖｅｒ  ａｄｄｒｅｓｓ）フィールド１１２０及びパワー管理制御フィールド１１３０を含むことができる。
【０１４２】
フレーム制御フィールド１１００は、フレームのタイプを指示するための情報を含むことができる。
【０１４３】
デュレーションフィールド１１１０は、ＡＣＫフレームに基づくフレーム送信及び受信手順のためのデュレーションに対する情報を含むことができる。
【０１４４】
ＲＡフィールド１１２０は、ＡＣＫフレームを受信する受信端の情報を含むことができる。
【０１４５】
パワー管理制御フィールド１１３０は、ＳＴＡのパワー管理のための情報を含むことができる。パワー管理制御フィールド１１３０は、ＡＰの他のＢＳＳフレームの受信強度に基づいてＴＩＭベースのパワーセーブモードで動作するＳＴＡの動作モードの設定可否に対する情報を含むことができる。他の表現として、パワー管理制御フィールド１１３０は、パワー管理制御フレームに基づくパワー管理動作の実行可否に対する情報を含むことができる。例えば、パワー管理制御フィールド１１３０は、８ビットに対応され、８ビットのうち１ビットがパワー管理制御ビット１１３５として使われることができる。パワー管理制御ビット１１３５は、ＡＰによるパワー管理制御フレームに基づくＳＴＡに対するパワー管理動作の実行可否に対する情報を含むことができる。ＳＴＡは、受信したＡＣＫフレームのパワー管理制御ビット１１３５の値が１である場合、ＡＣＫフレームの受信以後、ＡＰからのパワー管理制御フレームの送信をモニタリングすることで、ドーズ状態に切り替えるか、またはアウェイク状態を維持するかに対して決定できる。
【０１４６】
ＡＰがＳＴＡにパワー管理制御ビット１１３５の値が１であるＡＣＫフレームを送信する場合、ＡＰは、ＳＴＡのアウェイク状態の維持のために他のＢＳＳフレームの受信後、一定時間以後にパワー管理制御フレームをＳＴＡに送信することができる。または、ＡＰがＳＴＡにパワー管理制御ビット１１３５の値が１であるＡＣＫフレームを送信した場合、ＡＰは、ＳＴＡのドーズ状態への切り替えのために他のＢＳＳフレームの受信後、パワー管理制御フレームを送信しない場合もある。
【０１４７】
ＦＣＳ（ｆｒａｍｅ  ｃｈｅｃｋ  ｓｅｑｕｅｎｃｅ）１１４０は、フレームに発生したエラーのチェックのために使われることができる。
【０１４８】
図１２は、本発明の実施例に係るＡＣＫフレームを示した概念図である。
【０１４９】
図１２では、パワー管理制御フィールドを含むＡＣＫフレームが開示される。特に、パワー管理制御ビットがデュレーションフィールドに含まれる場合が開示される。
【０１５０】
図１２を参照すると、ＡＣＫフレームのＭＡＣヘッダは、フレーム制御フィールド１２００、デュレーションフィールド１２１０、ＲＡ（ｒｅｃｅｉｖｅｒ  ａｄｄｒｅｓｓ）フィールド１２２０を含むことができる。
【０１５１】
フレーム制御フィールド１２００は、フレームのタイプを指示するための情報を含むことができる。
【０１５２】
デュレーションフィールド１２１０は、ＡＣＫフレームに基づくフレーム送信及び受信手順のためのデュレーションに対する情報を含むことができる。本発明の実施例によると、デュレーションフィールド１２１０は、パワー管理制御ビットをさらに含むことができる。パワー管理制御ビットは、前述したように、パワー管理制御フレームベースのパワー管理動作の実行可否を決定するために使われることができる。パワー管理制御ビット１２２５の値が１である場合、ＡＰによるパワー管理制御フレームベースのパワー管理動作が実行されることが指示されることができる。ＳＴＡは、受信したＡＣＫフレームのパワー管理制御ビット１２２５の値が１である場合、ＡＣＫフレームの受信以後、パワー管理制御フレームの送信をモニタリングすることで、ドーズ状態に切り替えるか、またはアウェイク状態を維持するかに対して決定できる。
【０１５３】
ＲＡフィールド１２２０は、ＡＣＫフレームを受信する受信端の情報を含むことができる。
【０１５４】
ＦＣＳは、フレームに発生したエラーのチェックのために使われることができる。
【０１５５】
図１３は、本発明の実施例に係るパワー管理制御フレームを示した概念図である。
【０１５６】
図１３を参照すると、パワー管理制御フレームは、ＭＡＣヘッダにフレーム制御フィールド１３００、ＢＳＳＩＤ（ｂａｓｉｃ  ｓｅｒｖｉｃｅ  ｓｅｔ  ｉｄｅｎｔｉｆｉｅｒ）（ＴＡ（ｔｒａｎｓｍｉｔｔｅｒ  ｉｄｅｎｔｉｆｉｅｒ））フィールド１３１０、ＲＡフィールド１３３２０及びパワー管理制御フィールド１３３０を含むことができる。
【０１５７】
フレーム制御フィールド１３３０は、フレームのタイプを指示する情報を含むことができる。
【０１５８】
ＢＳＳＩＤ（ＴＡ）フィールド１３１０は、パワー管理制御フレームを送信したＡＰの識別情報を含むことができる。ＢＳＳＩＤ（ＴＡ）フィールド１３１０は、ＡＰを含むＢＳＳの識別情報を含むことができる。
【０１５９】
ＲＡフィールド１３２０は、パワー管理制御フレームを受信する受信端（例えば、ＳＴＡ）の識別情報を含むことができる。
【０１６０】
パワー管理制御フィールド１３３０は、ＳＴＡの動作状態を制御するための情報を含むことができる。例えば、パワー管理制御フィールド１３３０は、８ビットで構成され、８ビットのうち１ビットは、ＳＴＡのアウェイク状態の維持を設定するために使われることができる。または、８ビットのうち１ビット１３４０は、ＳＴＡのアウェイク状態の維持またはドーズ状態への切り替えを設定するためのアウェイクまたはドーズ指示子（ａｗａｋｅ  ｏｒ  ｄｏｚｅ  ｉｎｄｉｃａｔｏｒ）として使われることもできる。８ビットのうち７ビットは、保存された（ｒｅｓｅｒｖｅｄ）ビットである。
【０１６１】
ＦＣＳは、フレームに発生したエラーのチェックのために使われることができる。
【０１６２】
図１４は、本発明の実施例に係るフレームを伝達するＰＰＤＵフォーマットを示した概念図である。
【０１６３】
図１４では、本発明の実施例に係るＰＰＤＵフォーマットに対して開示する。ＰＰＤＵは、ＰＰＤＵヘッダ及びＭＰＤＵ（ＭＡＣ  ｐｒｏｔｏｃｏｌ  ｄａｔａ  ｕｎｉｔ）（または、ＰＳＤＵ（ｐｈｙｓｉｃａｌ  ｌａｙｅｒ  ｓｅｒｖｉｃｅ  ｄａｔａ  ｕｎｉｔ））を含むことができる。フレームは、ＭＰＤＵに対応されることができる。ＰＰＤＵフォーマットのＰＰＤＵヘッダは、ＰＰＤＵのＰＨＹヘッダ及びＰＨＹプリアンブルを含む意味で使われることができる。
【０１６４】
図１４に開示されるＰＰＤＵフォーマットは、前述したフレーム（例えば、ＡＣＫフレーム、ペンディングとなっているダウンリンクデータを含むダウンリンクフレーム、パワー管理制御フレーム等）を伝達するために使われることができる。
【０１６５】
図１４の上段を参照すると、ダウンリンクＰＰＤＵのＰＰＤＵヘッダは、Ｌ−ＳＴＦ（ｌｅｇａｃｙ−ｓｈｏｒｔ  ｔｒａｉｎｉｎｇ  ｆｉｅｌｄ）、Ｌ−ＬＴＦ（ｌｅｇａｃｙ−ｌｏｎｇ  ｔｒａｉｎｉｎｇ  ｆｉｅｌｄ）、Ｌ−ＳＩＧ（ｌｅｇａｃｙ−ｓｉｇｎａｌ）、ＨＥ−ＳＩＧ  Ａ（ｈｉｇｈ  ｅｆｆｉｃｉｅｎｃｙ−ｓｉｇｎａｌ  Ａ）、ＨＥ−ＳＴＦ（ｈｉｇｈ  ｅｆｆｉｃｉｅｎｃｙ−ｓｈｏｒｔ  ｔｒａｉｎｉｎｇ  ｆｉｅｌｄ）、ＨＥ−ＬＴＦ（ｈｉｇｈ  ｅｆｆｉｃｉｅｎｃｙ−ｌｏｎｇ  ｔｒａｉｎｉｎｇ  ｆｉｅｌｄ）、ＨＥ−ＳＩＧ  Ｂ（ｈｉｇｈ  ｅｆｆｉｃｉｅｎｃｙ−ｓｉｇｎａｌ−Ｂ）を含むことができる。ＰＨＹヘッダにおいて、Ｌ−ＳＩＧまではレガシ部分（ｌｅｇａｃｙ  ｐａｒｔ）と、Ｌ−ＳＩＧ以後のＨＥ（ｈｉｇｈ  ｅｆｆｉｃｉｅｎｃｙ）部分（ＨＥ  ｐａｒｔ）と、に区分されることができる。
【０１６６】
Ｌ−ＳＴＦ１４００は、短いトレーニングＯＦＤＭシンボル（ｓｈｏｒｔ  ｔｒａｉｎｉｎｇ  ｏｒｔｈｏｇｏｎａｌ  ｆｒｅｑｕｅｎｃｙ  ｄｉｖｉｓｉｏｎ  ｍｕｌｔｉｐｌｅｘｉｎｇ  ｓｙｍｂｏｌ）を含むことができる。Ｌ−ＳＴＦ１４００は、フレーム探知（ｆｒａｍｅ  ｄｅｔｅｃｔｉｏｎ）、ＡＧＣ（ａｕｔｏｍａｔｉｃ  ｇａｉｎ  ｃｏｎｔｒｏｌ）、ダイバーシティ探知（ｄｉｖｅｒｓｉｔｙ  ｄｅｔｅｃｔｉｏｎ）、コース周波数／時間同期化（ｃｏａｒｓｅ  ｆｒｅｑｕｅｎｃｙ／ｔｉｍｅ  ｓｙｎｃｈｒｏｎｉｚａｔｉｏｎ）のために使われることができる。
【０１６７】
Ｌ−ＬＴＦ１４１０は、長いトレーニングＯＦＤＭシンボル（ｌｏｎｇ  ｔｒａｉｎｉｎｇ  ｏｒｔｈｏｇｏｎａｌ  ｆｒｅｑｕｅｎｃｙ  ｄｉｖｉｓｉｏｎ  ｍｕｌｔｉｐｌｅｘｉｎｇ  ｓｙｍｂｏｌ）を含むことができる。Ｌ−ＬＴＦ１４１０は、ファイン周波数／時間同期化（ｆｉｎｅ  ｆｒｅｑｕｅｎｃｙ／ｔｉｍｅ  ｓｙｎｃｈｒｏｎｉｚａｔｉｏｎ）及びチャネル予測のために使われることができる。
【０１６８】
Ｌ−ＳＩＧ１４２０は、制御情報を送信するために使われることができる。Ｌ−ＳＩＧ１４２０は、データ送信率（ｒａｔｅ）、データ長さ（ｌｅｎｇｔｈ）に対する情報を含むことができる。
【０１６９】
ＨＥ−ＳＩＧ  Ａ１４３０は、ダウンリンクＰＰＤＵを受信するターゲットＳＴＡを指示するためのＳＴＡの識別情報を含むことができる。ＳＴＡは、ＨＥ−ＳＩＧ  Ａ１４３０に含まれる情報をターゲットＳＴＡの識別子情報に基づいてＰＰＤＵを受信するかどうかに対して決定できる。ダウンリンクＰＰＤＵのＨＥ−ＳＩＧ  Ａ１４３０に基づいてＳＴＡが指示された場合、ＳＴＡは、ダウンリンクＰＰＤＵに対する追加的なデコーディングを実行することができる。また、ＨＥ−ＳＩＧ  Ａ１４３０は、ダウンリンクデータを受信するリソース（周波数リソース（または、サブバンド）（ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）ベースの送信時）または時空間ストリームリソース（ＭＩＭＯ（ｍｕｌｔｉｌｐｌｅ  ｉｎｐｕｔ  ｍｕｌｔｉｐｌｅ  ｏｕｔｐｕｔ）ベースの送信時））に対する情報を含むこともできる。
【０１７０】
また、ＨＥ−ＳＩＧ  Ａ１４３０は、ＢＳＳ識別のためのカラービット（ｃｏｌｏｒ  ｂｉｔｓ）情報、帯域幅（ｂａｎｄｗｉｄｔｈ）情報、テールビット（ｔａｉｌ  ｂｉｔ）、ＣＲＣビット、ＨＥ−ＳＩＧ  Ｂ１４６０に対するＭＣＳ（ｍｏｄｕｌａｔｉｏｎ  ａｎｄ  ｃｏｄｉｎｇ  ｓｃｈｅｍｅ）情報、ＨＥ−ＳＩＧ  Ｂ１４６０のためのシンボル個数情報、ＣＰ（ｃｙｃｌｉｃ  ｐｒｅｆｉｘ）（または、ＧＩ（ｇｕａｒｄ  ｉｎｔｅｒｖａｌ））長さ情報を含むこともできる。
【０１７１】
ＨＥ−ＳＩＧ  Ａ１４３０は、ＡＣＫフレーム上に含まれる前述したパワー管理制御ビットを含むこともできる。ＨＥ−ＳＩＧ  Ａ１４３０がＡＣＫフレーム上に含まれる前述したパワー管理制御ビットを含む場合、ＡＣＫフレームのＭＡＣヘッダは、パワー管理制御ビットを含まない。ＨＥ−ＳＩＧ  Ａ１４３０は、パワー管理制御フレーム上に含まれる前述したパワー管理制御ビットを含むこともできる。ＨＥ−ＳＩＧ  Ａ１４３０がパワー管理制御フレーム上に含まれる前述したパワー管理制御ビットを含む場合、パワー管理制御フレームのＭＡＣヘッダは、パワー管理制御ビットを含まない。
【０１７２】
ＨＥ−ＳＴＦ１４４０は、ＭＩＭＯ環境またはＯＦＤＭＡ環境で自動利得制御推定（ａｕｔｏｍａｔｉｃ  ｇａｉｎ  ｃｏｎｔｒｏｌ  ｅｓｔｉｍａｔｉｏｎ）を向上させるために使われることができる。
【０１７３】
ＨＥ−ＬＴＦ１４５０は、ＭＩＭＯ環境またはＯＦＤＭＡ環境でチャネルを推定するために使われることができる。
【０１７４】
ＨＥ−ＳＩＧ  Ｂ１４６０は、各ＳＴＡに対するＰＳＤＵ（Ｐｈｙｓｉｃａｌ  ｌａｙｅｒ  ｓｅｒｖｉｃｅ  ｄａｔａ  ｕｎｉｔ）の長さＭＣＳ（ｍｏｄｕｌａｔｉｏｎ  ａｎｄ  ｃｏｄｉｎｇ  ｓｃｈｅｍｅ）に対する情報及びテールビットなどを含むことができる。
【０１７５】
ＨＥ−ＳＴＦ１４４０及びＨＥ−ＳＴＦ１４４０以後のフィールドに適用されるＩＦＦＴ（ｉｎｖｅｒｓｅ  ｆａｓｔ  ｆｏｕｒｉｅｒ  ｔｒａｎｓｆｏｒｍ）の大きさとＨＥ−ＳＴＦ１４４０以前のフィールドに適用されるＩＦＦＴの大きさは、互いに異なる。例えば、ＨＥ−ＳＴＦ１４４０及びＨＥ−ＳＴＦ１４４０以後のフィールドに適用されるＩＦＦＴの大きさは、ＨＥ−ＳＴＦ１４４０以前のフィールドに適用されるＩＦＦＴの大きさより４倍大きい。ＳＴＡがダウンリンクフレームを受信した場合、ＳＴＡは、ダウンリンクフレームのＨＥ−ＳＩＧ  Ａ１４３０をデコーディングし、ＨＥ−ＳＩＧ  Ａ１４３０に含まれているターゲットＳＴＡの識別子情報に基づいてＨＥ−ＳＩＧ  Ａ１４３０以後フィールドのデコーディング可否を決定することができる。このような場合、ＨＥ−ＳＩＧ  Ａ１４３０に含まれているターゲットＳＴＡの識別子情報がＳＴＡの識別子を指示する場合、ＳＴＡは、ＨＥ−ＳＴＦ１４４０及びＨＥ−ＳＴＦ１４４０以後フィールドから変更されたＦＦＴサイズに基づいてデコーディングを実行することができる。それに対し、ＨＥ−ＳＩＧ  Ａ１４３０に含まれているターゲットＳＴＡの識別子情報がＳＴＡの識別子を指示しない場合、ＳＴＡは、デコーディングを中断し、ＮＡＶ（ｎｅｔｗｏｒｋ  ａｌｌｏｃａｔｉｏｎ  ｖｅｃｔｏｒ）を設定することができる。ＨＥ−ＳＴＦ１４４０のＣＰ（ｃｙｃｌｉｃ  ｐｒｅｆｉｘ）は、他のフィールドのＣＰより大きい大きさを有することができ、このようなＣＰ区間の間に、ＳＴＡは、ＦＦＴサイズを変化させてダウンリンクＰＰＤＵに対するデコーディングを実行することができる。
【０１７６】
図１４の上段で開示されたＰＰＤＵのフォーマットを構成するフィールドの順序は、変わることもできる。例えば、図１４の中段に開示されたように、ＨＥ部分のＨＥ−ＳＩＧ  Ｂ１４１５がＨＥ−ＳＩＧ  Ａ１４０５の直後に位置することもできる。ＳＴＡは、ＨＥ−ＳＩＧ  Ａ１４０５及びＨＥ−ＳＩＧ  Ｂ１４１５までデコーディングし、必要な制御情報を受信し、ＮＡＶを設定することができる。同様に、ＨＥ−ＳＴＦ１４２５及びＨＥ−ＳＴＦ１４２５以後のフィールドに適用されるＩＦＦＴの大きさは、ＨＥ−ＳＴＦ１４２５以前のフィールドに適用されるＩＦＦＴの大きさと異なる。
【０１７７】
ＳＴＡは、ＨＥ−ＳＩＧ  Ａ１４０５及びＨＥ−ＳＩＧ  Ｂ１４１５を受信することができる。ＨＥ−ＳＩＧ  Ａ１＄０５のターゲットＳＴＡの識別子によりダウンリンクＰＰＤＵの受信が指示される場合、ＳＴＡは、ＨＥ−ＳＴＦ１４２５からはＦＦＴサイズを変化させてダウンリンクＰＰＤＵに対するデコーディングを実行することができる。それに対し、ＳＴＡは、ＨＥ−ＳＩＧ  Ａ１４０５を受信し、ＨＥ−ＳＩＧ  Ａ１４０５に基づいてダウンリンクＰＰＤＵの受信が指示されない場合、ＮＡＶを設定することができる。
【０１７８】
図１４の下段を参照すると、ＤＬ（ｄｏｗｎｌｉｎｋ）ＭＵ（ｍｕｌｔｉ−ｕｓｅｒ）送信のためのダウンリンクＰＰＤＵフォーマットが開示される。ダウンリンクＰＰＤＵは、ＯＦＤＭＡに基づいて互いに異なるダウンリンク送信リソース（周波数リソースまたは空間的ストリーム）を介してＳＴＡに送信されることができる。即ち、ＤＬ  ＭＵ送信のためのダウンリンクＰＰＤＵフォーマットに基づいて複数のサブバンドを介して複数のＳＴＡにダウンリンクデータが送信されることができる。前述した実施例では開示しないが、ＡＰは、ＤＬ  ＭＵダウンリンクＰＰＤＵフォーマットに基づいてダウンリンクデータを複数のＳＴＡに送信することができる。
【０１７９】
ダウンリンクＰＰＤＵ上でＨＥ−ＳＩＧ  Ｂ１４４５の以前フィールドは、互いに異なるダウンリンク送信リソースの各々でデュプリケートされた形態で送信されることができる。ＨＥ−ＳＩＧ  Ｂ１４４５は、全体送信リソース上でエンコーディングされた形態で送信されることができる。ＨＥ−ＳＩＧ  Ｂ１４４５以後のフィールドは、ダウンリンクＰＰＤＵを受信する複数のＳＴＡの各々のための個別情報を含むことができる。
【０１８０】
ダウンリンクＰＰＤＵに含まれるフィールドがダウンリンク送信リソースの各々を介して各々送信される場合、フィールドの各々に対するＣＲＣがダウンリンクＰＰＤＵに含まれることができる。それに対し、ダウンリンクＰＰＤＵに含まれる特定フィールドが全体ダウンリンク送信リソース上でエンコーディングされて送信される場合、フィールドの各々に対するＣＲＣがダウンリンクＰＰＤＵに含まれない。したがって、ＣＲＣに対するオーバーヘッドが減少されることができる。即ち、本発明の実施例に係るＤＬ  ＭＵ送信のためのダウンリンクＰＰＤＵフォーマットは、全体送信リソース上でエンコーディングされた形態のＨＥ−ＳＩＧ  Ｂ１４４５を使用することによって、ダウンリンクフレームのＣＲＣオーバーヘッドを減少させることができる。
【０１８１】
ＤＬ  ＭＵ送信のためのダウンリンクＰＰＤＵフォーマットも同様に、ＨＥ−ＳＴＦ１４５５及びＨＥ−ＳＴＦ１４５５以後のフィールドは、ＨＥ−ＳＴＦ１４５５以前のフィールドと異なるＩＦＦＴサイズに基づいてエンコーディングされることができる。したがって、ＳＴＡは、ＨＥ−ＳＩＧ  Ａ１４３５及びＨＥ−ＳＩＧ  Ｂ１４４５を受信し、ＨＥ−ＳＩＧ  Ａ１４３５に基づいてダウンリンクＰＰＤＵの受信に対して指示を受けた場合、ＨＥ−ＳＴＦ１４５５からはＦＦＴサイズを変化させてダウンリンクＰＰＤＵに対するデコーディングを実行することができる。
【０１８２】
図１５は、本発明の実施例が適用されることができる無線装置を示すブロック図である。
【０１８３】
図１５を参照すると、無線装置１５００は、前述した実施例を具現することができるＳＴＡであり、ＡＰ１５００または非ＡＰ  ＳＴＡ（ｎｏｎ−ＡＰ  ｓｔａｔｉｏｎ）（または、ＳＴＡ）１５５０である。
【０１８４】
ＡＰ１５００は、プロセッサ１５１０、メモリ１５２０及びＲＦ部（ｒａｄｉｏ  ｆｒｅｑｕｅｎｃｙ  ｕｎｉｔ）１５３０を含む。
【０１８５】
ＲＦ部１５３０は、プロセッサ１５１０と連結して無線信号を送信／受信することができる。
【０１８６】
プロセッサ１５１０は、本発明で提案された機能、過程及び／または方法を具現することができる。例えば、プロセッサ１５１０は、前述した本発明の実施例に係る無線装置の動作を実行するように具現されることができる。プロセッサは、図１乃至図１４の実施例で開示した無線装置の動作を実行することができる。
【０１８７】
例えば、プロセッサ１５１０は、他のＢＳＳフレームをオーバーヒアし、他のＢＳＳフレームのオーバーヒア以後、あらかじめ設定された時間以内にＡＰからのパワー管理制御フレーム（ｐｏｗｅｒ  ｍａｎａｇｅｍｅｎｔ  ｃｏｎｔｒｏｌ  ｆｒａｍｅ）を送信するように具現されることができる。パワー管理制御フレームは、前記ＳＴＡの前記アウェイク状態の維持可否を指示する情報を含むことができる。
【０１８８】
ＳＴＡ１５５０は、プロセッサ１５６０、メモリ１５７０及びＲＦ部（ｒａｄｉｏ  ｆｒｅｑｕｅｎｃｙ  ｕｎｉｔ）１５８０を含む。
【０１８９】
ＲＦ部１５８０は、プロセッサ１５６０と連結して無線信号を送信／受信することができる。
【０１９０】
プロセッサ１５６０は、本発明で提案された機能、過程及び／または方法を具現することができる。例えば、プロセッサ１５２０は、前述した本発明の実施例に係る無線装置の動作を実行するように具現されることができる。プロセッサは、図１乃至図１４の実施例で無線装置の動作を実行することができる。
【０１９１】
例えば、プロセッサ１５６０は、ビーコンフレームの送信周期に基づいてアウェイク状態に切り替えを決定し、ＡＰにＰＳ−ｐｏｌｌフレームを送信し、ＰＳ−ｐｏｌｌフレームに対する応答としてＡＰからＡＣＫフレームを受信するように具現されることができる。また、プロセッサ１５６０は、ＡＣＫフレームの受信以後、他のＢＳＳ（ｂａｓｉｃ  ｓｅｒｖｉｃｅ  ｓｅｔ）フレームをオーバーヒアし、他のＢＳＳフレームをオーバーヒア以後、あらかじめ設定された時間以内にＡＰからのパワー管理制御フレームの送信可否に基づいて前記アウェイク状態の維持可否を決定するように具現されることができる。
【０１９２】
ＡＣＫフレームは、前記パワー管理制御フレームの送信を指示する情報を含み、他のＢＳＳフレームは、ＡＰ及びＳＴＡを含むＢＳＳを除外した他のＢＳＳから送信されたフレームであり、パワー管理制御フレームは、ＳＴＡの前記アウェイク状態の維持可否を指示する情報を含むことができる。
【０１９３】
また、プロセッサ１５６０は、あらかじめ設定された時間以内に前記パワー管理制御フレームが受信される場合、アウェイク状態の維持を決定し、あらかじめ設定された時間以内にパワー管理制御フレームが受信されない場合、ＳＴＡを前記アウェイク状態からドーズ状態への切り替えを決定するように具現されることができる。ドーズ状態の維持時間は、他のＢＳＳフレームのためのＴＸＯＰデュレーション情報に基づいて決定されることができる。
【０１９４】
プロセッサ１５１０、１５６０は、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路、データ処理装置及び／またはベースバンド信号及び無線信号を相互変換する変換器を含むことができる。メモリ１５２０、１５７０は、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体及び／または他の格納装置を含むことができる。ＲＦ部１５３０、１５８０は、無線信号を送信及び／または受信する一つ以上のアンテナを含むことができる。
【０１９５】
実施例がソフトウェアで具現される時、前述した技法は、前述した機能を遂行するモジュール（過程、機能など）で具現されることができる。モジュールは、メモリ１５２０、１５７０に格納され、プロセッサ１５１０、１５６０により実行されることができる。メモリ１５２０、１５７０は、プロセッサ１５１０、１５６０の内部または外部にあり、よく知られた多様な手段でプロセッサ１５１０、１５６０と連結されることができる。
【図１】
0006373415.tif 000002
【図２】
0006373415.tif 000003
【図３】
0006373415.tif 000004
【図４】
0006373415.tif 000005
【図５】
0006373415.tif 000006
【図６】
0006373415.tif 000007
【図７】
0006373415.tif 000008
【図８】
0006373415.tif 000009
【図９】
0006373415.tif 000010
【図１０】
0006373415.tif 000011
【図１１】
0006373415.tif 000012
【図１２】
0006373415.tif 000013
【図１３】
0006373415.tif 000014
【図１４】
0006373415.tif 000015
【図１５】
0006373415.tif 000016